(57)【特許請求の範囲】
【請求項１】
複数種類の図柄を変動させて行う図柄変動ゲームを表示する表示手段と、遊技球の入球を契機に前記図柄変動ゲームの始動条件を付与するとともに、遊技球の入球口を遊技球が入球し難い閉鎖状態から遊技球が入球し易い開放状態に可変させる開閉手段を有する始動手段と、前記始動条件の成立を契機に、当りか否かの当り抽選を行う当り抽選手段と、を備え、前記図柄変動ゲームが、リーチ状態が形成されるリーチありの変動内容、及び第１の変動内容と該第１の変動内容よりも変動時間が短い第２の変動内容とを含むとともに前記リーチ状態が形成されないリーチなしの変動内容のいずれかで実行され、当り遊技終了後における前記開閉手段の開放時間が増加する開放時間増加状態が付与されている場合は、前記第２の変動内容で前記図柄変動ゲームが実行されやすくなっているとともに、前記当り抽選の抽選確率状態が高確率抽選状態となっていることへの期待度が異なる複数の高確潜伏モード及び前記抽選確率状態が高確率抽選状態の場合のみ設定される高確確定モードを含む複数の演出モードの中から移行先の演出モードを決定する移行抽選において演出モードの移行先が決定され、且つ前記第１の変動内容で前記図柄変動ゲームが実行される場合には、前記移行抽選で決定された演出モードに移行する遊技機において、
前記当り抽選に当選した場合に当りの種類を決定する当り種決定手段と、
所定の契機で前記移行抽選を実行して前記当り遊技終了後に移行した演出モード後のモード移行態様を決定する演出モード決定手段と、
前記演出モード決定手段が決定した演出モードを記憶手段に記憶させる記憶設定手段と、
前記演出モード決定手段が決定した演出モードに移行させる演出モード制御手段と、
前記図柄変動ゲームの変動内容を決定する変動内容決定手段と、を備え、
前記当りには、当り遊技終了後、予め設定した所定回数だけ前記開放時間増加状態を付与する第１当りと、前記所定回数を超えて前記開放時間増加状態を付与する第２当りとが設定されており、前記第１当りが決定された場合には、前記抽選確率状態が低確率抽選状態となっている可能性がある一方で、前記第２当りが決定された場合には、前記抽選確率状態が高確率抽選状態となっており、
前記第１当り及び前記第２当りの当り遊技終了後には、当り遊技終了後最初の演出モードとして前記高確潜伏モードが実行されるようになっており、
前記記憶設定手段は、前記移行抽選に当選した場合、該移行抽選の抽選結果を記憶させる一方で、前記第２当りに当選している場合、前記所定回数よりも後に実行される図柄変動ゲームから前記高確確定モードに移行可能となるように、前記図柄変動ゲームの実行回数が予め設定した回数を越えた段階で前記高確確定モードを強制的に記憶させ、
前記演出モード制御手段は、前記第２当りに当選しており、且つ前記所定回数よりも後に実行される図柄変動ゲームの変動内容として前記リーチありの変動内容のうち特定の変動内容又は前記第１の変動内容が決定された際には、前記高確確定モードに移行させ、
前記変動内容決定手段は、前記第２当りに当選しており、且つ前記所定回数目以降の図柄変動ゲームの変動内容として前記リーチありの変動内容のうち特定の変動内容が決定された際には、前記第１の変動内容で図柄変動ゲームを実行させるように変動内容を決定するようになっており、
前記記憶設定手段は、前記高確確定モードを記憶する場合、前記記憶手段に前記高確潜伏モードが記憶されているか否かを判定し、該高確潜伏モードが既に記憶されている場合には、前記記憶手段に記憶した記憶内容をリセットした後に前記高確確定モードを記憶することを特徴とする遊技機。
【請求項２】
前記記憶設定手段は、所定回数よりも前に実行される図柄変動ゲームにおいて既に前記高確確定モードが前記記憶手段に記憶されている場合には、前記記憶手段の記憶内容を維持することを特徴とする請求項１に記載の遊技機。
【請求項３】
前記第１当りが決定された場合には、前記所定回数目の図柄変動ゲームが終了した時点で前記期待度が低く設定された特定高確潜伏モードに移行するように設定されており、
前記演出モード制御手段は、前記所定回数以内の図柄変動ゲームが実行されるまでの間であって、特定回数以降の図柄変動ゲームでは、前記記憶手段に前記特定高確潜伏モードよりも前記期待度が高い高確潜伏モードが記憶されている場合であっても、前記演出モードの移行を規制することを特徴とする請求項１又は請求項２に記載の遊技機。
【請求項４】
当り遊技の種類は、前記当り抽選の抽選結果を示す特別図柄の種類に応じて決定されるようになっており、
前記演出モード決定手段は、前記特別図柄の種類、及び現在の図柄変動ゲームが、当り遊技が終了してから何回目の図柄変動ゲームであるかに応じて、前記演出モードを移行させるか否かを決定するモード抽選を異なる抽選確率で実行し、前記モード抽選に当選した場合に前記移行抽選を実行することを特徴とする請求項１〜請求項３のうちいずれか一項に記載の遊技機。
【発明の詳細な説明】
【技術分野】
【０００１】
本発明は、複数の演出モードによって遊技演出が行われる遊技機に関するものである。
【背景技術】
【０００２】
従来、遊技機の一種であるパチンコ遊技機には、大当り遊技の終了後、大当り抽選の抽選確率状態を、高確率抽選状態とする確率変動機能を備えたものがある。大当り抽選の抽選確率状態が高確率抽選状態（確変状態）である場合は、大当り抽選で大当りに当選し易くなることから、遊技者に有利な状態である。そして、通常、遊技者は、大当り抽選で大当りに当選し、大当り遊技を得たならば、その大当り遊技終了後の遊技状態として高確率抽選状態が付与されることを望んでいる。このため、大当り遊技終了後に高確率抽選状態とならず、低確率抽選状態になることが分かった時には、遊技者の興趣を低下させる虞があった。
【０００３】
そこで、従来、大当り遊技終了後の遊技状態として、抽選確率状態が高確率抽選状態及び低確率抽選状態の何れの場合でも設定される高確潜伏モードを含む複数の演出モードを設定し、遊技状態に応じて演出モードを移行させるパチンコ遊技機が提案されている（例えば、特許文献１参照）。特許文献１のパチンコ遊技機によれば、大当り遊技終了後の遊技においても高確率抽選状態となっているか否かについて興味を持たせることができ、遊技の興趣を向上することができる。
【先行技術文献】
【特許文献】
【０００４】
【特許文献１】特開２００７−２１５５７９号公報
【発明の概要】
【発明が解決しようとする課題】
【０００５】
ところで、近時のパチンコ遊技機では、遊技球の入球を契機に図柄変動ゲームの始動条件を付与するとともに、遊技球の入球口を遊技球が入球し難い閉鎖状態から遊技球が入球し易い開放状態に可変させる開閉手段を有する始動手段を備えているものも多い。そして、このようなパチンコ遊技機では、前記抽選確率状態を変化させることに加えて、大当り抽選の抽選結果に基づいて、大当り遊技の終了後における開閉手段の動作状態を、単位時間あたりの開放時間が増加する開放時間増加状態とするか否かが決定されるようになっている。開放時間増加状態が付与されている場合は、遊技者の持ち玉が大幅に減ることなく図柄変動ゲームの消化効率が上がるため、遊技者に有利な状態となる。そして、このようなパチンコ遊技機では、開閉手段の動作態様からも高確率抽選状態が付与されているのか否かが分からないように、同一の高確潜伏モードを実行するようになっている。
【０００６】
ここで、大当りの種類として、確変状態が付与されているか否かを問わず、所定回数目の図柄変動ゲームが終了した時点で開放時間増加状態が終了する第１当りと、確変状態が付与されている場合に、所定回数目の図柄変動ゲームが終了した後でも開放時間増加状態が継続して付与される第２当りを設定したとする。この場合、所定回数を超えて開放時間増加状態が付与された時点で第２当りに当選していることが確定するので、遊技者に確変状態が付与されていることをいち早く、且つ分かり易く報知するために、高確率抽選状態となっていることを確定的に報知する高確確定モードに移行させることが望ましい。
【０００７】
ところが、演出モードの移行契機を、「開放時間増加状態が付与されていないときに最も実行されやすい「通常変動」の内容で図柄変動ゲームが実行されるとき」としたとする。この場合、開放時間増加状態が付与されている際には図柄変動ゲームの消化効率が上がっているため、「通常変動」の内容が選択されにくく、代わりに「通常変動」よりも変動時間が短い「短縮変動」の内容で図柄変動ゲームが実行されやすい。なお、「通常変動」は、図柄変動ゲームの開始後、各列の図柄を予め定めた変動停止順序にしたがって変動を停止させて各列に図柄を導出させるはずれ演出である。また、開放時間増加状態中は、単位時間あたりの図柄変動ゲームの消化効率を上げるため、大当り抽選に当選しなかった場合、はずれリーチ演出を実行させるか否かを決定するはずれリーチ抽選にも当選しにくくなっている。これにより、開放時間増加状態中にリーチ演出が実行された場合には、リーチ演出の大当り期待度が高くなる。
【０００８】
したがって、いくら第２当りに当選していたとしても、開放時間増加状態中は「通常変動」の内容で図柄変動ゲームが行われにくいので、高確確定モードに移行させることができない。また、モード移行演出にかかる演出時間をどのような変動時間の図柄変動ゲームにおいても対応できるように短くすると、高確率抽選状態であるか否かを報知させる重要な演出にもかかわらず、長い時間を掛けて遊技者を盛り上げることができないとともに、演出モードの移行が頻繁に実行されてしまうという虞があった。
【０００９】
この発明はこのような実情に鑑みてなされたものである。その目的は、高確確定モードへ移行することを強制的に記憶するとともに、移行させることができる変動内容で図柄変動ゲームが実行される場合に、記憶している内容の演出モードに移行させることで、遊技者に現在の抽選確率状態が高確率抽選状態となっていることを分かり易く報知させることができる遊技機を提供することにある。
【課題を解決するための手段】
【００１０】
上記問題点を解決するために、請求項１に記載の発明は、複数種類の図柄を変動させて行う図柄変動ゲームを表示する表示手段と、遊技球の入球を契機に前記図柄変動ゲームの始動条件を付与するとともに、遊技球の入球口を遊技球が入球し難い閉鎖状態から遊技球が入球し易い開放状態に可変させる開閉手段を有する始動手段と、前記始動条件の成立を契機に、当りか否かの当り抽選を行う当り抽選手段と、を備え、前記図柄変動ゲームが、リーチ状態が形成されるリーチありの変動内容、及び第１の変動内容と該第１の変動内容よりも変動時間が短い第２の変動内容とを含むとともに前記リーチ状態が形成されないリーチなしの変動内容のいずれかで実行され、当り遊技終了後における前記開閉手段の開放時間が増加する開放時間増加状態が付与されている場合は、前記第２の変動内容で前記図柄変動ゲームが実行されやすくなっているとともに、前記当り抽選の抽選確率状態が高確率抽選状態となっていることへの期待度が異なる複数の高確潜伏モード及び前記抽選確率状態が高確率抽選状態の場合のみ設定される高確確定モードを含む複数の演出モードの中から移行先の演出モードを決定する移行抽選において演出モードの移行先が決定され、且つ前記第１の変動内容で前記図柄変動ゲームが実行される場合には、前記移行抽選で決定された演出モードに移行する遊技機において、前記当り抽選に当選した場合に当りの種類を決定する当り種決定手段と、所定の契機で前記移行抽選を実行して前記当り遊技終了後に移行した演出モード後のモード移行態様を決定する演出モード決定手段と、前記演出モード決定手段が決定した演出モードを記憶手段に記憶させる記憶設定手段と、前記演出モード決定手段が決定した演出モードに移行させる演出モード制御手段と、前記図柄変動ゲームの変動内容を決定する変動内容決定手段と、を備え、前記当りには、当り遊技終了後、予め設定した所定回数だけ前記開放時間増加状態を付与する第１当りと、前記所定回数を超えて前記開放時間増加状態を付与する第２当りとが設定されており、前記第１当りが決定された場合には、前記抽選確率状態が低確率抽選状態となっている可能性がある一方で、前記第２当りが決定された場合には、前記抽選確率状態が高確率抽選状態となっており、前記第１当り及び前記第２当りの当り遊技終了後には、当り遊技終了後最初の演出モードとして前記高確潜伏モードが実行されるようになっており、前記記憶設定手段は、前記移行抽選に当選した場合、該移行抽選の抽選結果を記憶させる一方で、前記第２当りに当選している場合、前記所定回数よりも後に実行される図柄変動ゲームから前記高確確定モードに移行可能となるように、前記図柄変動ゲームの実行回数が予め設定した回数を越えた段階で前記高確確定モードを強制的に記憶させ、前記演出モード制御手段は、前記第２当りに当選しており、且つ前記所定回数よりも後に実行される図柄変動ゲームの変動内容として前記リーチありの変動内容のうち特定の変動内容又は前記第１の変動内容が決定された際には、前記高確確定モードに移行させ、前記変動内容決定手段は、前記第２当りに当選しており、且つ前記所定回数目以降の図柄変動ゲームの変動内容として前記リーチありの変動内容のうち特定の変動内容が決定された際には、前記第１の変動内容で図柄変動ゲームを実行させるように変動内容を決定するようになっており、前記記憶設定手段は、前記高確確定モードを記憶する場合、前記記憶手段に前記高確潜伏モードが記憶されているか否かを判定し、該高確潜伏モードが既に記憶されている場合には、前記記憶手段に記憶した記憶内容をリセットした後に前記高確確定モードを記憶することを要旨とする。
【００１２】
請求項２に記載の発明は、請求項１に記載の遊技機において、前記記憶設定手段は、所定回数よりも前に実行される図柄変動ゲームにおいて既に前記高確確定モードが前記記憶手段に記憶されている場合には、前記記憶手段の記憶内容を維持することを要旨とする。
【００１３】
請求項３に記載の発明は、請求項１又は請求項２に記載の遊技機において、前記第１当りが決定された場合には、前記所定回数目の図柄変動ゲームが終了した時点で前記期待度が低く設定された特定高確潜伏モードに移行するように設定されており、前記演出モード制御手段は、前記所定回数以内の図柄変動ゲームが実行されるまでの間であって、特定回数以降の図柄変動ゲームでは、前記記憶手段に前記特定高確潜伏モードよりも前記期待度が高い高確潜伏モードが記憶されている場合であっても、前記演出モードの移行を規制することを要旨とする。
【００１４】
請求項４に記載の発明は、請求項１〜請求項３のうちいずれか一項に記載の遊技機において、当り遊技の種類は、前記当り抽選の抽選結果を示す特別図柄の種類に応じて決定されるようになっており、前記演出モード決定手段は、前記特別図柄の種類、及び現在の図柄変動ゲームが、当り遊技が終了してから何回目の図柄変動ゲームであるかに応じて、前記演出モードを移行させるか否かを決定するモード抽選を異なる抽選確率で実行し、前記モード抽選に当選した場合に前記移行抽選を実行することを要旨とする。
【発明の効果】
【００１５】
本発明によれば、高確確定モードへ移行することを強制的に記憶するとともに、移行させることができる変動内容で図柄変動ゲームが実行される場合に、記憶している内容の演出モードに移行させることで、遊技者に現在の抽選確率状態が高確率抽選状態となっていることを分かり易く報知させることができる。
【図面の簡単な説明】
【００１６】
【図１】パチンコ遊技機の機表側を示す正面図。
【図２】遊技盤を示す拡大図。
【図３】当りの種類を説明する説明図。
【図４】演出モードと、演出モードの移行態様を示す模式図。
【図５】（ａ）〜（ｄ）は、背景画像の種類を示す模式図。
【図６】モード移行演出の態様を示す模式図。
【図７】パチンコ遊技機の電気的構成を示すブロック図。
【図８】変動パターンの種類を説明する説明図。
【図９】リーチ確率を説明する説明図。
【図１０】変短なし時の変動パターンの選択率を説明する説明図。
【図１１】変短あり時の変動パターンの選択率を説明する説明図。
【図１２】変短時モード移行処理の流れを示すフローチャート。
【図１３】非変短時モード移行処理の流れを示すフローチャート。
【図１４】第１の高確示唆モード滞在時に参照される変短時移行テーブルを説明する説明図。
【図１５】第２の高確示唆モード滞在時に参照される変短時移行テーブルを説明する説明図。
【図１６】第３の高確示唆モード滞在時に参照される変短時移行テーブルを説明する説明図。
【図１７】昇格用の非変短時移行テーブルを説明する説明図。
【図１８】転落用の非変短時移行テーブルを説明する説明図。
【図１９】（ａ）は、非変短時における演出モードの移行態様を示すタイミングチャート、（ｂ）は、変短時における演出モードの移行態様を示すタイミングチャート。
【発明を実施するための形態】
【００１７】
以下、本発明をその一種であるパチンコ遊技機に具体化した一実施形態を図１〜図１９にしたがって説明する。
図１には、パチンコ遊技機１０が略示されており、パチンコ遊技機１０の機体の外郭をなす外枠１１の開口前面側には、各種の遊技用構成部材をセットする縦長方形の中枠１２が開放及び着脱自在に組み付けられているとともに、中枠１２の前面側には前枠１４が開閉及び着脱自在に組み付けられている。前枠１４は、図１に示すようにパチンコ遊技機１０を機正面側から見た場合において、中枠１２に重なるように組み付けられている。このため、中枠１２は、前枠１４の後側に配置されており、機正面側からは視認し得ないようになっている。前枠１４は、中央部に窓口１４ａを有するとともに、該窓口１４ａの下方にパチンコ遊技機１０の遊技媒体となる遊技球を貯留可能な第１貯留皿としての上皿（貯留皿）１５を一体成形した構成とされている。前枠１４の裏面側には、機内部に配置された遊技盤ＹＢを保護し、かつ窓口１４ａを覆う大きさのガラスを支持する図示しないガラス支持枠が着脱及び傾動開放可能に組み付けられている。遊技盤ＹＢは、中枠１２に装着される。また、前枠１４には、窓口１４ａのほぼ全周を囲むように、図示しない発光体（ランプ、ＬＥＤなど）の発光（点灯や点滅）により発光演出を行う電飾表示部を構成する上側枠用ランプ部１６ａと、左側枠用ランプ部１６ｂと、右側枠用ランプ部１６ｃとが配置されている。各枠用ランプ部１６ａ〜１６ｃは、前枠１４の前面に装着される複数の発光体を、該各発光体の発する光を透過可能に成形したランプレンズで覆って構成されている。
【００１８】
前枠１４には、窓口１４ａの左右上部に、各種音声を出力して音声演出を行う左スピーカ１７ａと、右スピーカ１７ｂとが配置されている。左スピーカ１７ａと右スピーカ１７ｂは、前枠１４の裏面に装着されており、該前枠１４の前面であって左スピーカ１７ａ及び右スピーカ１７ｂの装着部位に対応する部位には放音孔が複数形成されている。
【００１９】
中枠１２の前面側であって前枠１４の下部には、上皿１５から溢れ出た遊技球を貯留する第２貯留皿としての下皿（貯留皿）１８が装着されている。また、中枠１２の前面側であって下皿１８の右方には、遊技球を遊技盤ＹＢに発射させる際に遊技者によって回動操作される遊技球発射用の発射ハンドル１９が装着されている。また、前枠１４には、下皿１８の左方に、各種音声を出力して音声演出を行う下スピーカ１７ｃが配置されている。下スピーカ１７ｃは、中枠１２に装着されている。
【００２０】
上皿１５には、その左方側に機内部から払出される遊技球の図示しない払出口が設けられているとともに、遊技者の保有する遊技球を貯留する凹状の貯留通路１５ａが連設されており、さらに右方側に貯留通路１５ａ内の遊技球を機内部に取り込む図示しない上皿取込口が設けられている。上皿１５に貯留された遊技球は、貯留通路１５ａにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル１９の回動量に応じて発射の強弱が設定される。また、下皿１８には、上皿１５から溢れ出て流下した遊技球の出口１８ａが設けられているとともに、遊技球を貯留する凹状の貯留部１８ｂが遊技球の出口１８ａに連設されている。
【００２１】
次に、遊技盤ＹＢの構成について図２にしたがって詳しく説明する。
遊技盤ＹＢの前面には、発射ハンドル１９の操作によって発射された遊技球を誘導し、かつパチンコ遊技の主体となるほぼ円形の遊技領域Ｈ１を形成する誘導レール２０が円形渦巻き状に敷設されている。この誘導レール２０によって遊技盤ＹＢには、該遊技盤ＹＢの左下方から左上方に向かって延びる遊技球の誘導路２０ａが形成されるとともに、誘導レール２０の内側に遊技領域Ｈ１が形成される。また、遊技盤ＹＢの前面であって誘導レール２０の外側となる遊技領域Ｈ１外は、パチンコ遊技に直接関与しない非遊技領域Ｈ２とされている。
【００２２】
遊技盤ＹＢの遊技領域Ｈ１のほぼ中央（センター）には、各種の表示器や各種の飾りを施した表示枠体（センター役物）２１が装着されている。表示枠体２１の略中央には、正面視横長矩形に開口するセット口２１ａが形成されており、当該セット口２１ａに整合して表示枠体２１には液晶ディスプレイ型の画像表示部ＧＨを有する表示手段としての演出表示器２２が装着されている。演出表示器２２には、複数列（本実施形態では３列）の図柄列を変動させて行う図柄変動ゲームを含み、該ゲームに関連して実行される各種の表示演出（遊技演出）が画像表示されるようになっている。本実施形態において演出表示器２２の図柄変動ゲームでは、複数列（本実施形態では３列）の図柄からなる図柄組み合わせを導出する。なお、演出表示器２２の図柄変動ゲームは、表示演出を多様化するための飾り図柄を用いて行われる。
【００２３】
図２に示すように、遊技盤ＹＢにおける遊技領域Ｈ１の左下方には、７セグメント型の表示手段としての特図表示器２３が設けられている。特図表示器２３では、複数種類の図柄を変動させて表示する図柄変動ゲームが行われる。そして、図柄変動ゲームにおいて特図表示器２３では、複数種類の特別図柄（以下、「特図」と示す場合がある）を１列で変動させて特図を表示する。この特図は、大当りか否かなどの内部抽選の結果を示す報知用の図柄である。
【００２４】
そして、特図表示器２３では、図柄変動ゲームの開始により同時に図柄の変動表示が開始され、該ゲームの終了と同時に特図が確定停止表示される。また、演出表示器２２では、図柄変動ゲームの開始により同時に飾り図柄（以下、飾図と示す場合がある）の変動表示が開始され、該ゲーム終了前に飾図がゆれ変動状態で一旦停止表示され、該ゲームの終了と同時に各列の飾図が確定停止表示される。「変動表示」とは、図柄を表示する表示器に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、特図表示器２３と演出表示器２２では、同時に図柄変動ゲームと図柄変動ゲームに係わる表示演出が開始され、同時に終了する（すなわち、同時に特図と飾図が確定停止表示される）。
【００２５】
本実施形態において特図表示器２３には、複数種類の特図の中から、大当り抽選の抽選結果に対応する１つの特図が選択され、その選択された特図が図柄変動ゲームの終了によって確定停止表示される。複数種類の特図は、大当りを認識し得る図柄となる１００種類の大当り図柄（大当り表示結果に相当する）と、小当りを認識し得る図柄となる１０種類の小当り図柄（小当り表示結果に相当する）と、はずれを認識し得る図柄となる１種類のはずれ図柄とに分類される。なお、大当り図柄が表示された場合、遊技者には、大当り遊技が付与される。また、小当り図柄が表示された場合、遊技者には、小当り遊技が付与される。本実施形態の大当り遊技については後で詳細に説明する。
【００２６】
また、本実施形態において演出表示器２２には、各列毎に［１］、［２］、［３］、［４］、［５］、［６］、［７］の７種類の数字が飾図として表示されるようになっている。そして、本実施形態においては、特図表示器２３に比較して大きい表示領域で構成されるとともに、飾図は特図に比較して遥かに大きく表示されるようになっている。このため、遊技者は、演出表示器２２に停止表示された図柄組み合わせから大当り又ははずれを認識できる。演出表示器２２に停止表示された全列の図柄が同一図柄の場合には、その図柄組み合わせ（［２２２］［７７７］など）から大当り遊技が付与される大当りを認識できる。この大当りを認識できる図柄組み合わせが飾図による大当りの図柄組み合わせ（大当り表示結果）となる。大当りの図柄組み合わせが確定停止表示されると、遊技者には、図柄変動ゲームの終了後に大当り遊技が付与される。一方、演出表示器２２に確定停止表示された全列の図柄が異なる種類の場合、又は１列の図柄が他の２列の図柄とは異なる種類の場合には、原則として、その図柄組み合わせ（［１２３］［１２２］［７６７］など）からはずれを認識できる。このはずれを認識できる図柄組み合わせが飾図によるはずれの図柄組み合わせ（はずれ表示結果）となる。なお、はずれの図柄組み合わせの中でも所定の図柄組み合わせ（例えば、［１２３］）が表示された場合には、大当り及び小当りのいずれかに当選したことを認識できる。この大当り及び小当りの何れかに当選したことを認識できる図柄組み合わせが、大当り抽選の抽選確率状態が高確率抽選状態となる確率変動状態（確変状態）が付与される可能性を示唆する確変示唆の図柄組み合わせとなる。
【００２７】
また、本実施形態において、演出表示器２２における各列は、図柄変動ゲームが開始すると、予め定めた変動方向（縦スクロール方向）に沿って飾図が変動表示されるようになっている。そして、図柄変動ゲームが開始すると（各列の飾図が変動を開始すると）、演出表示器２２において遊技者側から見て左列（左図柄）→右列（右図柄）→中列（中図柄）の順に飾図が停止表示されるようになっている。そして、停止表示された左図柄と右図柄が同一図柄の場合には、その図柄組み合わせ（［１↓１］など、「↓」は変動中を示す）からリーチ状態を認識できる。リーチ状態は、複数列のうち、特定列（本実施形態では左列と右列）の飾図が同一図柄となって停止表示され、かつ前記特定列以外の列（本実施形態では中列）の飾図が変動表示されている状態である。このリーチ状態を認識できる図柄組み合わせが飾図によるリーチの図柄組み合わせとなる。また、本実施形態のパチンコ遊技機１０では、図柄変動ゲームの開始後、最初に飾図を停止表示させる左列が第１停止表示列になるとともに、次に飾図を停止表示させる右列が第２停止表示列になり、さらに最後に飾図を停止表示させる中列が第３停止表示列となる。
【００２８】
また、演出表示器２２には、特図表示器２３の表示結果に応じた図柄組み合わせが表示されるようになっている。より詳しくは、特図表示器２３に表示される特図と、演出表示器２２に表示される飾図による図柄組み合わせが対応されており、図柄変動ゲームが終了すると、特図と飾図による図柄組み合わせが対応して確定停止表示されるようになっている。例えば、特図表示器２３に大当り図柄が確定停止表示される場合には、原則として演出表示器２２にも［２２２］や［４４４］などの大当りの図柄組み合わせが確定停止表示されるようになっている。また、特図表示器２３にはずれ図柄が確定停止表示される場合には、演出表示器２２にも［１２１］や［３４５］などのはずれの図柄組み合わせが確定停止表示されるようになっている。また、特図表示器２３に小当り図柄が確定停止表示される場合には、演出表示器２２にも［１２３］などの図柄組み合わせが確定停止表示される。なお、特図に対する飾図の図柄組み合わせは一対一とは限らず、１つの特図に対して複数の飾図による図柄組み合わせの中から１つの飾図による図柄組み合わせが選択されるようになっている。以上のように、本実施形態の演出表示器２２では、図柄変動ゲームに係わる表示演出（３列の図柄を変動表示させて図柄の組み合わせを表示させる図柄変動ゲーム）が行われるようになっている。
【００２９】
また、遊技盤ＹＢにおける遊技領域Ｈ１の左下方であって、特図表示器２３の左方には、普図表示器２４が配設されている。この普図表示器２４では、複数種類の普通図柄（以下、「普図」と示す場合がある）を変動させて１つの普通図柄を導出する普通図柄による図柄組み合わせゲーム（以下、「普図ゲーム」と示す場合がある）が行われるようになっている。本実施形態において普図表示器２４は、図示しない発光体（ＬＥＤやランプなど）をレンズカバー（図２では表面に「○（丸）」と「×（ばつ）」を装飾したもの）で覆って構成した複数個（本実施形態では２個）の普通図柄表示部から構成されている。普図表示器２４では、大当りか否かの大当り抽選とは別に行う普図当りか否か（開閉羽根２７の開動作により下始動入賞口２６を開放するか否か）の内部抽選（普図当り抽選）の抽選結果を表示する。そして、本実施形態の普図表示器２４では、普図当り抽選で当りを決定している場合には普図ゲームで普図からなる当り図柄が確定停止表示（本実施形態では「○（丸）」側の普通図柄表示部が点灯）される。一方、本実施形態の普図表示器２４では、普図当り抽選ではずれを決定している場合には普図ゲームで普図からなるはずれ図柄が確定停止表示（本実施形態では「×（ばつ）」側の普通図柄表示部が点灯）される。
【００３０】
また、図２に示すように、表示枠体２１の正面視下方の遊技領域Ｈ１には、遊技球の入球口２５ａを有する上始動入賞口２５と遊技球の入球口２６ａを有する始動手段としての下始動入賞口２６が上下方向に並ぶように配置されている。上始動入賞口２５は、常時遊技球の入球を許容し得るように入球口２５ａを常時開放させた構成とされている。一方で、下始動入賞口２６は普通電動役物とされ、普通電動役物ソレノイドＳＯＬ２（図７に示す）の作動により開閉動作を行う開閉手段としての開閉羽根２７を備えており、開閉羽根２７が開動作することにより遊技球の入球を許容し得るように入球口２６ａを開放させる構成とされている。
【００３１】
上始動入賞口２５と下始動入賞口２６の各奥方には、入球した遊技球を検知する始動口センサＳＥ１，ＳＥ２（図７に示す）が配設されている。上始動入賞口２５と下始動入賞口２６は、入球した遊技球を検知することにより、図柄変動ゲームの始動条件と予め定めた個数の賞球としての遊技球の払出条件を付与し得る。下始動入賞口２６は開閉羽根２７が開動作すると、入口が拡大されて遊技球が入球し易い状態とされる一方で、開閉羽根２７が閉動作すると、入口が拡大されずに遊技球が入球し難い状態とされる。
【００３２】
また、図２に示すように、下始動入賞口２６の下方には、大入賞口ソレノイドＳＯＬ１（図７に示す）の作動により開閉動作を行う大入賞口扉２８を備えた大入賞口装置２９が配設されている。大入賞口装置２９の奥方には、入球した遊技球を検知するカウントセンサＳＥ３が設けられている。そして、当り遊技（大当り遊技と小当り遊技）が生起されると、大入賞口扉２８の開動作によって大入賞口装置２９が開放されて遊技球が入球可能となるため、遊技者は、多数の賞球が獲得できるチャンスを得ることができる。そして、この当り遊技は、内部抽選で当りを決定し、図柄変動ゲームにて当り図柄（大当り図柄と小当り図柄を含む）が確定停止表示されることを契機に付与される。
【００３３】
また、遊技盤ＹＢにおける遊技領域Ｈ１の左下方であって、特図表示器２３の左方には、機内部（ＲＡＭ３０ｃ）で記憶される図柄変動ゲームの始動保留球の記憶数（以下、「特図保留記憶数」を示す）に基づく保留中の図柄変動ゲームの回数を報知する特図保留表示器Ｒａが設けられている。特図保留記憶数は、保留中（図柄変動ゲーム待機中）の図柄変動ゲームの回数を示している。そして、特図保留記憶数は、始動入賞口（上始動入賞口２５と下始動入賞口２６）に遊技球が入球することで１加算され、図柄変動ゲームの開始により１減算されるようになっている。したがって、図柄変動ゲーム中に始動入賞口へ遊技球が入球すると、特図保留記憶数は更に加算され、所定の上限数（本実施形態では４個）まで累積されるようになっている。特図保留表示器Ｒａは、複数（本実施形態では４つ）のランプから構成され、特図保留記憶数に対応する個数のランプを点灯させることによって特図保留記憶数を遊技者に報知する。
【００３４】
また、表示枠体２１の左側には、作動ゲート３５が配設されている。そして、作動ゲート３５の奥方には、入賞（通過）した遊技球を検知するゲートセンサＳＥ４（図７に示す）が設けられている。作動ゲート３５は、遊技球の入賞検知（通過検知）を契機に、普図ゲームの始動条件を付与し得る。普図ゲームは、下始動入賞口２６を開状態とするか否か（下始動入賞口２６に遊技球を入賞可能とするか）の抽選結果を導出するために行われる演出である。下始動入賞口２６は、開閉羽根２７により常には入り口が閉鎖された閉状態となっており、この閉状態では遊技球を入賞させることができない。その一方で、下始動入賞口２６は、普図当り遊技が付与されると、開閉羽根２７が開放されることにより下始動入賞口２６が開状態となり、遊技球を入賞させることができる。即ち、普図当り遊技が付与されると、開閉羽根２７の開放によって下始動入賞口２６に遊技球を入賞させることができるため、遊技者は、図柄変動ゲームの始動条件と賞球を獲得できるチャンスを得ることができる。なお、上始動入賞口２５へは常に同じ条件で遊技球を入賞させることができるようになっている。
【００３５】
また、図２に示すように、遊技盤ＹＢにおける遊技領域Ｈ１の左下方であって、普図表示器２４の右方には、普図保留表示器Ｒｂが配設されている。普図保留表示器Ｒｂは、作動ゲート３５を遊技球が通過し、始動保留球となって機内部（ＲＡＭ３０ｃ）で記憶された始動保留球の記憶数（以下、「普図保留記憶数」と示す）を表示する表示器であり、普図保留表示器Ｒｂの表示内容によって保留されている普図ゲームの回数が報知される。普図保留記憶数は、作動ゲート３５を遊技球が通過すると１加算（＋１）され、普図ゲームが開始されることにより１減算（−１）される。そして、普図ゲーム中に作動ゲート３５を遊技球が通過すると普図保留記憶数は更に加算（＋１）されて所定の上限数（本実施形態では４）まで累積される。本実施形態において普図保留表示器Ｒｂは、複数（本実施形態では４つ）のランプから構成され、普図保留記憶数に対応する個数のランプを点灯させることによって普図保留記憶数を遊技者に報知する。
【００３６】
また、遊技盤ＹＢの遊技領域Ｈ１の最下方（大入賞口装置２９よりも下方）には、遊技領域Ｈ１に発射された後、何れの入賞口にも入球しなかった遊技球をアウト球として機外に排出するためのアウト球口１３が形成されている。アウト球口１３を通過した遊技球は、パチンコ遊技機１０の設置設備（遊技島）に配設されたアウト球タンク（図示しない）に排出される。
【００３７】
また、本実施形態のパチンコ遊技機１０は、確率変動（以下、「確変」と示す）機能を備えている。確変機能は、確定停止表示された大当り図柄（特図）の種類が予め定めた確変図柄であることを条件として、大当り遊技終了後に大当りの抽選確率状態を低確率抽選状態である通常確率（本実施形態では５／１６９７）から高確率抽選状態（本実施形態では５０／１６９７）に変動させる確変状態（確率変動状態）を付与する機能である。本実施形態では、大当り遊技終了後に確変状態が付与される大当りが確変大当りであり、確変状態が付与されない大当りが非確変大当りとなる。
【００３８】
また、確変状態は、次回の大当りが生起される迄の間、付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。
【００３９】
また、本実施形態のパチンコ遊技機１０は、変動時間短縮（以下、「変短」と示す）状態を付与する変短機能を備えている。変短状態が付与されると、開閉羽根２７を開動作させるか否かの抽選結果を導出する普図ゲームの変動時間が短縮される、及び普図ゲームの当り確率が通常確率から高確率に変動する入球率向上状態が特典として付与されるようなっている。この入球率向上状態において、開閉羽根２７は、普図ゲームにおいて当選した際、通常状態である場合とは異なる動作パターンで開閉動作するようになっている。
【００４０】
すなわち、通常状態時に普図ゲームに当選する場合には、開閉羽根２７が１回開放し、開放してから０．３秒又は１．０秒経過するまで開放状態を維持するようになっている。その一方で、変短状態時に普図ゲームに当選する場合には、開閉羽根２７が３回開放するとともに、１回の開放において開放してから１．５秒が経過するまで開放状態を維持するようになっている。つまり、開閉羽根２７は、変短状態が付与されている場合、通常状態が付与されている状態に比較して、遊技者にとって有利に動作するように設定されている。なお、開放してから規定時間経過する前であっても、入球上限個数（例えば、１０球）の遊技球が入球したときには、開閉羽根２７は閉鎖するようになっている。同様に、所定回数開放していなくても、入球上限個数（例えば、１０球）の遊技球が入球したときには、開閉羽根２７は閉鎖するようになっている。また、変短状態は、予め定めた回数の図柄変動ゲームが実行される迄の間、又は前記回数に達する前に大当りが生起される迄の間、付与される。なお、変短状態が付与される前記回数は、大当りに当選した時の遊技状態に応じて変化する。
【００４１】
本実施形態では、大当り遊技の終了後における開閉羽根２７の単位時間あたりの開放時間を増加させる変短状態が、開放時間増加状態となる。なお、変短状態（開放時間増加状態）中は、１回の普図当りによって開閉羽根２７が開放される時間の合計が、非変短状態時よりも増加する。
【００４２】
以下、本実施形態のパチンコ遊技機１０に規定する大当り遊技（１５ラウンド大当り遊技と２ラウンド大当り遊技）、及び小当り遊技について、図３をもとに詳しく説明する。
本実施形態のパチンコ遊技機１０では、大当り抽選に当選した場合、図３に示す５種類の大当りの中から１つの大当りが決定され、その決定された大当りに基づいた大当り遊技が付与されるようになっている。そして、５種類の大当りのうち、何れの大当りを付与するかは、大当り抽選に当選した際に決定する特図（大当り図柄）の種類に応じて決定されるようになっている。本実施形態において１００種類の特図の大当り図柄は、図３に示すように、図柄Ａ、図柄Ｂ、図柄Ｃ、図柄Ｄ、及び図柄Ｅの５種類に分類される。そして、図柄Ａには２８種類の大当り図柄が、図柄Ｂには６種類の大当り図柄が、図柄Ｃには８種類の大当り図柄が、図柄Ｄには２０種類の大当り図柄が、図柄Ｅには３８種類の大当り図柄がそれぞれ振分けられている。また、図３に示す図柄Ｆには、小当りに対応する１０種類の特図（小当り図柄）が振分けられている。
【００４３】
図柄Ａ及び図柄Ｂに基づく大当り遊技は、規定ラウンド数が「１５回」に設定されているとともに、大当り遊技終了後に確変状態を付与する１５ラウンド大当り遊技である。以下、図柄Ａに基づく大当りを「第１の確変１５ラウンド大当り」と示すとともに、図柄Ｂに基づく大当りを「第２の確変１５ラウンド大当り」と示す。第１の確変１５ラウンド大当り遊技及び第２の確変１５ラウンド大当り遊技では、１回のラウンド遊技の入球上限個数（カウント数）が「９球」に設定されている。また、第１の確変１５ラウンド大当り遊技及び第２の確変１５ラウンド大当り遊技における１５回のラウンド遊技では、各ラウンド遊技において大入賞口扉２８を「１回」開放させるように設定されている。また、第１の確変１５ラウンド大当り及び第２の確変１５ラウンド大当りでは、大当り抽選の当選時における遊技状態に関係なく、大当り遊技終了後に確変状態と、その確変状態の終了時まで変短状態を付与するようになっている。なお、図３では、確変状態の終了時まで変短状態を付与する場合を「リミットなし」と表記している。また、本実施形態では、第１の確変１５ラウンド大当りと第２の確変１５ラウンド大当りでは、大当り遊技終了後に移行する演出モードを異ならせているが、演出モードについては後に詳述する。
【００４４】
図柄Ｃに基づく大当り遊技は、規定ラウンド数が「１５回」に設定されているとともに、大当り遊技終了後に確変状態を付与する１５ラウンド大当り遊技である。以下、図柄Ｃに基づく大当りを「１００回変短付き確変１５ラウンド大当り」と示す。１００回変短付き確変１５ラウンド大当り遊技では、１回のラウンド遊技の入球上限個数（カウント数）が「９球」に設定されている。また、１００回変短付き確変１５ラウンド大当り遊技における１５回のラウンド遊技では、各ラウンド遊技において大入賞口扉２８を「１回」開放させるように設定されている。また、１００回変短付き確変１５ラウンド大当りでは、大当り抽選の当選時における遊技状態に関係なく、大当り遊技終了後に確変状態と、予め定めた回数（本実施形態では１００回）を上限回数として変短状態を付与するようになっている。
【００４５】
図柄Ｄに基づく大当り遊技は、規定ラウンド数が「２回」に設定されているとともに、大当り遊技終了後に確変状態を付与する２ラウンド大当り遊技である。以下、図柄Ｄに基づく大当りを「確変２ラウンド大当り」と示す。確変２ラウンド大当り遊技では、１回のラウンド遊技の入球上限個数（カウント数）が「９球」に設定されている。また、確変２ラウンド大当り遊技における２回のラウンド遊技では、各ラウンド遊技において大入賞口扉２８を「１回」開放させるように設定されている。また、確変２ラウンド大当りでは、大当り抽選の当選時における遊技状態に応じて、大当り遊技終了後に確変状態とその確変状態の終了時まで変短状態を付与する場合と、大当り遊技終了後に確変状態のみを付与する場合とがある。
【００４６】
図柄Ｅに基づく大当り遊技は、規定ラウンド数が「１５回」に設定されているとともに、大当り遊技終了後に確変状態を付与しない（非確変状態を付与する）１５ラウンド大当り遊技である。以下、図柄Ｅに基づく大当りを「非確変１５ラウンド大当り」と示す。また、非確変１５ラウンド大当り遊技では、１回のラウンド遊技の入球上限個数（カウント数）が「９球」に設定されている。また、非確変１５ラウンド大当り遊技における１５回のラウンド遊技では、各ラウンド遊技において大入賞口扉２８を「１回」開放させるように設定されている。また、非確変１５ラウンド大当りでは、大当り抽選の当選時における遊技状態に関係なく、大当り遊技終了後には確変状態を付与せずに、予め定めた回数（本実施形態では１００回）を上限回数として変短状態を付与するようになっている。
【００４７】
図柄Ｆに基づく小当り遊技は、規定ラウンド数が「１回」に設定されているとともに、１回のラウンド遊技の入球上限個数（カウント数）が「９球」に設定されている。また、小当り遊技の１回のラウンド遊技では、大入賞口扉２８を「２回」開放させるように設定されている。また、小当り遊技では、当該小当り遊技終了後の遊技状態を、小当り抽選の当選時における遊技状態で継続させるようになっている。すなわち、小当り遊技では、小当り抽選の当選時の遊技状態が確変状態であれば小当り遊技終了後の遊技状態を確変状態に継続させるとともに、小当り抽選の当選時の遊技状態が変短状態であれば小当り遊技終了後の遊技状態を変短状態に継続させる。また、小当り遊技では、小当り抽選の当選時の遊技状態が非確変状態であれば小当り遊技終了後の遊技状態を非確変状態に継続させるとともに、小当り抽選の当選時の遊技状態が非変短状態であれば小当り遊技終了後の遊技状態を非変短状態に継続させる。
【００４８】
これらの各大当り遊技及び小当り遊技では、オープニング時間、１回のラウンド遊技のラウンド遊技時間及びエンディング時間が、図３に示すように、それぞれ設定されている。各ラウンド遊技は、入球上限個数分の遊技球が入球することにより終了する場合もあることから、図３に示す１回のラウンド遊技のラウンド遊技時間は最大時間となる。
【００４９】
なお、図３の「当たった時の状態」欄に示す「低確＋変短なし」、「低確＋変短あり」、「高確＋変短なし」、「高確＋変短ありＧ２」、「高確＋変短ありＧ３」の５つの状態は、それぞれ次のような状態を示す。「低確＋変短なし」は、非確変状態で、かつ非変短状態を示し、本実施形態のパチンコ遊技機１０においては「通常状態」となる。「低確＋変短あり」は、非確変状態で、かつ変短状態を示し、本実施形態のパチンコ遊技機１０において「低確＋変短あり」の状態は、非確変１５ラウンド大当り遊技に当選することによって作り出される。「高確＋変短なし」は、確変状態で、かつ非変短状態を示し、本実施形態のパチンコ遊技機１０において「高確＋変短なし」の状態は、「低確＋変短なし」の状態で確変２ラウンド大当り遊技に当選することによって作り出される。
【００５０】
さらに、「高確＋変短ありＧ２」は、確変状態で、かつ変短状態であることに加えて移行先の演出モードが「高確示唆モード」であることを示し、本実施形態のパチンコ遊技機１０において「高確＋変短ありＧ２」の状態は、第２の確変１５ラウンド大当り遊技又は１００回変短付き確変１５ラウンド大当り遊技に当選することによって作り出される。また、本実施形態のパチンコ遊技機１０において「高確＋変短ありＧ２」の状態は、「低確＋変短あり」の状態、「高確＋変短なし」、又は「高確＋変短ありＧ２」の状態で確変２ラウンド大当り遊技に当選することによっても作り出される。「高確＋変短ありＧ３」は、確変状態で、かつ変短状態であることに加えて移行先の演出モードが「高確確定モード」であることを示し、本実施形態のパチンコ遊技機１０において「高確＋変短ありＧ３」の状態は、第１の確変１５ラウンド大当り遊技に当選することによって作り出される。また、本実施形態のパチンコ遊技機１０において「高確＋変短ありＧ３」の状態は、「高確＋変短ありＧ３」の状態で確変２ラウンド大当り遊技に当選することによっても作り出される。
【００５１】
また、本実施形態のパチンコ遊技機１０は、各大当り遊技の終了後、大当り抽選の抽選確率状態が、高確率抽選状態（確変状態）であるのか、低確率抽選状態（非確変状態）であるのかを遊技者に示唆する遊技状態報知画像を表示させる複数（本実施形態では３つ）の演出モードを備えている。図４は、本実施形態のパチンコ遊技機１０における演出モードの移行態様を示す。そして、本実施形態のパチンコ遊技機１０では、演出モードの移行契機を、当りに当選したこと、及び当り遊技終了後に移行した演出モード後の演出モードを移行させるか否かを決定する移行抽選（モード抽選）に当選したこととし、その当選した当りの種類及び移行抽選の抽選結果に応じて移行する演出モードが異なるようになっている。この演出モードの移行により、遊技者は、滞在中の演出モード、すなわち当該演出モードで表示される遊技状態報知画像から大当り抽選の抽選確率状態が、高確率抽選状態であるか否かを推測するようになっている。
【００５２】
以下、本実施形態の演出モードについて、図４を用いて詳しく説明する。なお、図４では、「ラウンド遊技」を「Ｒ」と示している。
本実施形態において、３つの演出モードは、演出態様が夫々異なっている。具体的には、変短状態が付与されないとともに、大当り抽選の抽選確率状態が高確率抽選状態又は低確率抽選状態となっているときに滞在する通常モードと、変短状態が付与される場合とされない場合があるとともに、大当り抽選の抽選確率状態が高確率抽選状態又は低確率抽選状態となっているときに滞在する高確示唆モードが設定されている。さらに、変短状態が付与されるとともに、大当り抽選の抽選確率状態が高確率抽選状態となっているときに滞在する高確確定モードとが設定されている。高確確定モードは、大当り抽選の抽選確率状態が高確率抽選状態、すなわちパチンコ遊技機１０の遊技状態が確変状態であることを、遊技者に対して確定的に示唆（報知）する演出とされている。その一方、通常モード及び高確示唆モードは、大当り抽選の抽選確率状態が高確率抽選状態及び低確率抽選状態の何れの場合でも実行される演出とされている。すなわち、通常モード及び高確示唆モードは、パチンコ遊技機１０の遊技状態が、確変状態及び非確変状態の何れの状態であるかを遊技者に対して非確定的に示唆（報知）する高確率潜伏演出とされ、これらの２つの演出モードは確変状態である可能性を示唆する。本実施形態では、通常モード及び高確示唆モードが、高確潜伏モードとなる一方で、通常モードが、特定高確潜伏モードとなる。
【００５３】
そして、前述した３つの演出モードは、確変状態であることの期待度の高低（確変状態である可能性の大小）を示唆し、その高低によって区別される演出となっている。本実施形態においては、通常モード＜高確示唆モード＜高確確定モードの順に、確変状態である期待度が高い演出モードとして位置付けられている。
【００５４】
また、本実施形態における高確示唆モードは、さらに複数のモード（本実施形態では４つ）に区分けされており、演出モード毎に確変状態である期待度が異なるように設定されている。具体的には、第１の高確示唆モード、第２の高確示唆モード、第３の高確示唆モード、及び第４の高確示唆モードが設定されているとともに、第１の高確示唆モード＜第２の高確示唆モード＜第３の高確示唆モード＜第４の高確示唆モードの順に、確変状態である期待度が高い演出モードとして位置付けられている。そして、本実施形態では、第２の確変１５ラウンド大当りに当選している場合にしか第４の高確示唆モードに移行し得ないように構成している。これにより、第４の高確示唆モードは、「高確示唆モード」に分類されながらも、大当り抽選の抽選確率状態が高確率抽選状態であることを遊技者に確定的に報知していることになる。
【００５５】
また、各演出モード滞在中は、その滞在中の演出モードに対応する遊技状態報知画像が演出表示器２２に画像表示されるようになっている。具体的に言えば、通常モード時には、遊技状態報知画像としての通常背景画像Ｇ１が画像表示されるようになっているとともに、高確示唆モード時には、遊技状態報知画像としての高確背景画像Ｇ２が画像表示されるようになっている。さらに、第１の高確示唆モード時には、高確背景画像Ｇ２ａ（図５（ａ））が、第２の高確示唆モード時には、高確背景画像Ｇ２ｂ（図５（ｂ））が、第３の高確示唆モード時には、高確背景画像Ｇ２ｃ（図５（ｃ））が、第４の高確示唆モード時には、高確背景画像Ｇ２ｄ（図５（ｄ））が画像表示されるようになっている。なお、以下の説明では、高確背景画像Ｇ２ａ〜Ｇ２ｄをまとめて「高確背景画像Ｇ２」と示す場合がある。また、高確確定モード時には、遊技状態報知画像としての確定背景画像Ｇ３が画像表示されるようになっている。これらの各背景画像Ｇ１〜Ｇ３が画像表示されることにより、遊技者は、大当り抽選の当選確率が高確率状態である期待度を把握し得る。なお、背景画像は、図柄の背面に映し出される画像である。
【００５６】
以下、演出モードの移行態様を説明する。
通常モードは、「低確＋変短なし」と「高確＋変短なし」の時に滞在する演出モードとされている。そして、通常モードの滞在中に、第１の確変１５ラウンド大当りに当選した場合、大当り遊技を経て、高確確定モードへ移行する。また、通常モードの滞在中に、第２の確変１５ラウンド大当り、１００回変短付き確変１５ラウンド大当り、及び非確変１５ラウンド大当りの何れかに当選した場合、大当り遊技を経て、変短付きの高確示唆モードへ移行する。さらに、「低確＋変短なし」となっている通常モードの滞在中に確変２ラウンド大当り又は小当りに当選した場合、変短なしの高確示唆モードへ移行する。また、「高確＋変短なし」となっている通常モードの滞在中に確変２ラウンド大当りに当選した場合、変短付きの高確示唆モードへ移行する。また、「高確＋変短なし」となっている通常モードの滞在中に小当りに当選した場合、変短なしの高確示唆モードへ移行する。なお、以下の説明では、第２の確変１５ラウンド大当り、１００回変短付き確変１５ラウンド大当り、及び非確変１５ラウンド大当りをまとめて「１５ラウンド系大当り」と示す場合がある。
【００５７】
高確確定モードは、「高確＋変短あり」の時に滞在する演出モードとされている。そして、高確確定モードの滞在中に、第２の確変１５ラウンド大当り、１００回変短付き確変１５ラウンド大当り、及び非確変１５ラウンド大当りの何れかに当選した場合、大当り遊技を経て、変短付きの高確示唆モードへ移行する。また、高確確定モードの滞在中に確変２ラウンド大当り又は小当りに当選した場合、高確確定モードへ移行（継続）する。なお、高確確定モードの終了条件は、大当り抽選で１５ラウンド系大当りに当選することに設定されており、大当り抽選で大当りに当選する迄の間、継続される。
【００５８】
高確示唆モードは、変短付きの高確示唆モードと、変短なしの高確示唆モードとに分類される。より詳しくは、変短付きの高確示唆モードは、「低確＋変短あり」及び「高確＋変短あり」の時に滞在する演出モードとされている。すなわち、第２の確変１５ラウンド大当り及び１００回変短付き確変１５ラウンド大当りの何れかに当選したことによって移行した変短付きの高確示唆モードは、遊技状態が「高確＋変短あり」となる。一方、非確変１５ラウンド大当りに当選したことによって移行した変短付きの高確示唆モードは、「低確＋変短あり」となる。そして、変短付きの高確示唆モードの滞在中に、第１の確変１５ラウンド大当りに当選した場合、大当り遊技を経て、高確確定モードへ移行する。また、変短付きの高確示唆モードの滞在中に確変２ラウンド大当り又は小当りに当選した場合、変短付きの高確示唆モードへ移行（継続）する。
【００５９】
また、変短付きの高確示唆モードの終了条件は、大当り抽選で１５ラウンド系大当り（第１の確変１５ラウンド大当りも含む）に当選する、及び大当り遊技終了後に付与された変短状態が終了するの何れかが成立することに設定されている。このため、１００回変短付き確変１５ラウンド大当り及び非確変１５ラウンド大当りの何れかに当選したことによって変短付きの高確示唆モードへ移行した場合は、変短状態が終了することにより、通常モードへ移行する。これにより、変短付きの高確示唆モードを経由して移行する通常モードは、確変状態の可能性も残されており、確変潜伏の状態とされる。なお、変短状態なしの高確示唆モードは、転落抽選への当選によって終了する場合と、大当り抽選で大当りに当選することによって終了する場合とがある。
【００６０】
その一方で、第２の確変１５ラウンド大当りに当選したことによって変短付きの高確示唆モードへ移行した場合は、大当りに当選する迄の間、変短付きの高確示唆モードが継続される。したがって、本実施形態のパチンコ遊技機１０で遊技を行う遊技者は、大当り遊技終了後に変短付きの高確示唆モードへ移行した場合、１００回の図柄変動ゲームの終了によって変短付きの高確示唆モードから通常モードへ移行しなければ、その演出モードの移行態様から確変状態であることを認識し得る。なお、本実施形態のパチンコ遊技機１０では、１５ラウンド系大当りに当選した場合、大当り遊技終了後に第１の高確示唆モード（変短付き）〜第３の高確示唆モード（変短付き）のうちどの演出モードに移行するかは、抽選によって決定されるようになっている。
【００６１】
また、本実施形態のパチンコ遊技機１０は、「高確＋変短あり」又は「低確＋変短あり」となっている高確示唆モードの滞在中、昇格抽選（第１抽選内容）を実行している。一方、通常モード中、及び「高確＋変短なし」又は「低確＋変短なし」となっている高確示唆モードの滞在中、昇格抽選と転落抽選（第２の抽選内容）を実行している。ちなみに、昇格抽選は、現在滞在中の演出モードよりも確変状態である期待度が高く設定された演出モードに移行させるか否かを決定するために実行する抽選である。また、転落抽選は、現在滞在中の演出モードよりも確変状態である期待度が低く設定された演出モード（本実施形態では通常モード）に移行させるか否かを決定するために実行する抽選である。
【００６２】
本実施形態では、非確変１５ラウンド大当りが、第１当りとなる。一方、第２の確変１５ラウンド大当りが、第２当りとなる。
また、本実施形態のパチンコ遊技機１０では、昇格抽選又は転落抽選に当選したことによって演出モードが移行する場合、図６に示すような態様でモード移行演出が実行される。具体的には、図柄変動ゲームの開始後に、画像表示部ＧＨに扉Ｔが表示され、所定時間経過後、当該扉Ｔが開くと、当該モード移行演出終了後に実行される演出モードが報知されるようになっている。また、モード移行演出が実行されると、画像表示部ＧＨの左下部に変動中の図柄が扉Ｔに比して遥かに小さく表示されるようになっている。そして、扉Ｔが開いて移行先の演出モードが報知された後、変動中の図柄が確定停止表示される。このように、モード移行演出が実行される際には、画像表示部ＧＨにおいて飾図が小さく表示されるので、遊技者は、モード移行演出の実行態様に注視することとなる。なお、図６に示したような態様で行われるモード移行演出の移行契機は、特定の変動パターン（本実施形態では変動パターンＰ１）が選択されたときと設定している。
【００６３】
次に、パチンコ遊技機１０の制御構成について図７に基づき説明する。
パチンコ遊技機１０の機裏側には、パチンコ遊技機１０全体を制御する主制御基板３０が装着されている。主制御基板３０は、パチンコ遊技機１０全体を制御するための各種処理を実行し、該処理結果に応じて遊技を制御するための各種の制御信号（制御コマンド）を演算処理し、該制御信号（制御コマンド）を出力する。また、機裏側には、統括制御基板３１と、表示制御基板３２と、ランプ制御基板３３と、音声制御基板３４とが装着されている。統括制御基板３１は、主制御基板３０が出力した制御信号（制御コマンド）に基づき、表示制御基板３２、ランプ制御基板３３及び音声制御基板３４を統括的に制御する。表示制御基板３２は、主制御基板３０と統括制御基板３１が出力した制御信号（制御コマンド）に基づき、演出表示器２２の表示態様（図柄、背景、文字などの表示画像など）を制御する。また、ランプ制御基板３３は主制御基板３０と統括制御基板３１が出力した制御信号（制御コマンド）に基づき、各種ランプ部１６ａ〜１６ｃの発光態様（点灯（点滅）／消灯のタイミングなど）を制御する。また、音声制御基板３４は、主制御基板３０と統括制御基板３１が出力した制御信号（制御コマンド）に基づき、各種スピーカ１７ａ〜１７ｃの音声出力態様（音声出力のタイミングなど）を制御する。
【００６４】
以下、主制御基板３０、統括制御基板３１及び表示制御基板３２について、その具体的な構成を説明する。
前記主制御基板３０には、メインＣＰＵ３０ａが備えられている。該メインＣＰＵ３０ａには、ＲＯＭ３０ｂ及びＲＡＭ３０ｃが接続されている。メインＣＰＵ３０ａには、上始動口センサＳＥ１と、下始動口センサＳＥ２と、カウントセンサＳＥ３と、ゲートセンサＳＥ４が接続されている。また、メインＣＰＵ３０ａには、特図表示器２３と、普図表示器２４と、特図保留表示器Ｒａと、普図保留表示器Ｒｂとが接続されている。また、メインＣＰＵ３０ａには、大入賞口ソレノイドＳＯＬ１と、普通電動役物ソレノイドＳＯＬ２が接続されている。また、メインＣＰＵ３０ａは、特図用の当り判定用乱数、特図振分用乱数、リーチ判定用乱数、変動パターン振分用乱数、小当り図柄振分用乱数や、普図用の当り判定用乱数などの各種乱数の値を所定の周期毎に更新し、更新後の値をＲＡＭ３０ｃの設定領域に記憶（設定）して更新前の値を書き換えている。また、メインＣＰＵ３０ａは、時間を計測するタイマを更新する。ＲＡＭ３０ｃには、パチンコ遊技機１０の動作中に適宜書き換えられる各種情報（乱数値、タイマ値、フラグなど）が記憶（設定）されるようになっている。
【００６５】
特図用の当り判定用乱数は、大当りとするか否かの大当り抽選（大当り判定）で用いる乱数であるとともに、大当り抽選に当選しなかった場合に小当りとするか否かの小当り抽選（小当り判定）で用いる乱数である。また、特図振分用乱数は、大当りとなる場合に特図表示器２３に確定停止表示させる特図としての大当り図柄を決定する際に用いる乱数である。また、リーチ判定用乱数は、当り抽選（大当り抽選と小当り抽選を含む）で当りに当選しなかった場合、すなわちはずれの場合にリーチを形成し、リーチ演出を行うか否かのリーチ抽選（リーチ判定）で用いる乱数である。また、変動パターン振分用乱数は、変動パターンを選択し、決定する際に用いる乱数である。普図用の当り判定用乱数は、普図当りとするか否かの普図当り抽選（普図当り判定）で用いる乱数である。また、小当り図柄振分用乱数は、小当りとなる場合に特図表示器２３に確定停止表示させる特図としての小当り図柄を決定する際に用いる乱数である。
【００６６】
本実施形態において、特図用の当り判定用乱数、特図振分用乱数、リーチ判定用乱数、及び変動パターン振分用乱数は、同一時期（同一タイミング）に取得される。すなわち、上記各乱数は、上始動入賞口２５又は下始動入賞口２６へ遊技球が入球した時に、それぞれ取得されるようになっている。
【００６７】
ＲＯＭ３０ｂには、パチンコ遊技機１０全体を制御するためのメイン制御プログラムが記憶されている。また、ＲＯＭ３０ｂには、複数種類の変動パターンが記憶されている。変動パターンは、図柄（特図及び飾図）が変動を開始（図柄変動ゲームが開始）してから図柄が停止表示（図柄変動ゲームが終了）される迄の間の遊技演出（表示演出、発光演出、音声演出）のベースとなるパターンを示すものである。
【００６８】
図８は、本実施形態のパチンコ遊技機１０において選択可能な変動パターンの一部を示している。
本実施形態では、はずれ演出用の変動パターンとして、３種類の変動パターンＰ１〜Ｐ３が用意されている。これらの変動パターンＰ１〜Ｐ３は、変動内容が「通常変動」、及び「短縮変動」とされている。「通常変動」は、図柄変動ゲームの開始後、各列の図柄を予め定めた変動停止順序（例えば、左列→右列→中列）にしたがって変動を停止させて各列に図柄を導出させるはずれ演出である。「短縮変動」は、「通常変動」よりも変動時間が短く設定され、各列の変動をほぼ同一のタイミングで停止させて各列に図柄を導出させるはずれ演出である。そして、本実施形態において変動パターンＰ１〜Ｐ３の変動時間は、変動パターンＰ１（変動時間Ｔ１）よりも変動パターンＰ２（変動時間Ｔ２）の方が短く、変動パターンＰ２よりも変動パターンＰ３（変動時間Ｔ３）の方が短くなっている。また、本実施形態において変動パターンＰ１〜Ｐ３は、図柄変動ゲームの開始時における特図保留記憶数（０〜３）に応じて選択される。
【００６９】
変動パターンＰ４，Ｐ５は、確変２ラウンド大当り又は小当りに当選した場合に選択可能な当り演出用（２Ｒ／小当り用）の変動パターンとされている。具体的には、変動パターンＰ４が「ノーマルリーチ（ＮＲ）」を伴う変動パターンである一方で、変動パターンＰ５が「スーパーリーチ（ＳＲ）」を伴う変動パターンとなっている。なお、「ノーマルリーチ」は、演出表示器２２の図柄変動ゲームにおいて、予め定めた複数の図柄列（本実施形態では、左列と右列の２列）に同一の飾図を導出させてリーチを形成し、残り１列（本実施形態では、中列）を変動させて飾図を導出する変動内容のリーチ演出である。一方、「スーパーリーチ」は、演出表示器２２の図柄変動ゲームにおいて、ノーマルリーチの演出で残り１列の変動中又は変動が停止した後、例えば、特定のキャラクタが登場し、その登場キャラクタの名称で呼ばれる「○○リーチ」へ移行（発展）して飾図を導出する変動内容のリーチ演出である。
【００７０】
また、変動パターンＰ４，Ｐ６は、１５ラウンド系大当り（第１の確変１５ラウンド大当りも含む）に当選した場合に選択可能な当り演出用（１５Ｒ大当り用）の変動パターンとされている。また、変動パターンＰ７〜Ｐ９は、はずれリーチ演出用の変動パターンとされている。また、変動パターンＰ４〜Ｐ９の変動時間は、変動パターンＰ４，Ｐ７（変動時間Ｔ４）よりも変動パターンＰ５，Ｐ８（変動時間Ｔ５）のほうが長く、変動パターンＰ５，Ｐ８よりも変動パターンＰ６，Ｐ９（変動時間Ｔ６）の方が長くなっている。また、変動時間Ｔ１と変動時間Ｔ４は、ほぼ同じ長さとなっている。
【００７１】
また、ＲＯＭ３０ｂには、大当り判定値が記憶されている。大当り判定値は、大当りか否かの内部抽選で用いる判定値であり、特図用の当り判定用乱数の取り得る数値（０〜１６９６までの全１６９７通りの整数）の中から定められている。なお、大当り判定値は、確変状態が付与されているか否かでその数が異なっており、確変状態時の大当り判定値の数（本実施形態では５０個）は、通常状態時の大当り判定値の数（本実施形態では５個）よりも多く設定されている。
【００７２】
本実施形態では、変動パターンＰ１及び変動パターンＰ７で特定される変動内容が第１の変動内容となる一方で、変動パターンＰ２及び変動パターンＰ３で特定される変動内容が第２の変動内容となる。また、変動パターンＰ１〜Ｐ３で特定される変動内容が、リーチなしの変動内容となる一方で、変動パターンＰ４〜Ｐ９で特定される変動内容が、リーチありの変動内容となる。
【００７３】
また、ＲＯＭ３０ｂには、普図当り判定値が記憶されている。普図当り判定値は、普図当りか否かの内部抽選で用いる判定値であり、普図用の当り判定用乱数の取り得る数値（０〜２４０までの全２４１通りの整数）の中から定められている。なお、普図当り判定値は、変短状態が付与されているか否かでその数が異なっており、変短状態が付与されている時の普図当り判定値の数（本実施形態では２４０個）は、通常状態時の普図当り判定値の数（本実施形態では５０個）よりも多く設定されている。また、ＲＡＭ３０ｃには、普図当り判定時に使用する普図用の当り判定用乱数が記憶されている。本実施形態において、普図用の当り判定用乱数は、作動ゲート３５を遊技球が通過したことを契機に取得するようになっている。
【００７４】
また、ＲＯＭ３０ｂには、リーチ判定値が記憶されている。リーチ判定値は、図柄変動ゲームがはずれとなる場合に、リーチ演出を実行させるか否かのリーチ抽選（リーチ判定）で用いる判定値であり、リーチ判定用乱数の取り得る数値（０〜１６２までの全１６３通りの整数）の中から定められている。なお、リーチ判定値は、図９に示すように、始動保留球の記憶数により、その数が異なっている。具体的には、遊技状態が「低確＋変短なし」及び「高確＋変短なし」の何れかであって、特図保留記憶数が「０」「１」の場合、リーチ判定値は、０〜２２となっている。また、遊技状態が「低確＋変短なし」及び「高確＋変短なし」の何れかであって、特図保留記憶数が「２」の場合、リーチ判定値は、０〜１７となっている。また、遊技状態が「低確＋変短なし」及び「高確＋変短なし」の何れかであって、特図保留記憶数が「３」の場合、リーチ判定値は、０〜７となっている。一方、遊技状態が「低確＋変短あり」及び「高確＋変短あり」の場合、特図保留記憶数の値にかかわらず、リーチ判定値は、０〜６となっている。
【００７５】
次に、図７に基づき統括制御基板３１について説明する。
統括制御基板３１には、統括ＣＰＵ３１ａが備えられている。該統括ＣＰＵ３１ａには、ＲＯＭ３１ｂ及びＲＡＭ３１ｃが接続されている。また、統括ＣＰＵ３１ａは、各種乱数の値を所定の周期毎に更新し、更新後の値をＲＡＭ３１ｃの設定領域に記憶（設定）して更新前の値を書き換えている。また、ＲＯＭ３１ｂには、表示制御基板３２、ランプ制御基板３３及び音声制御基板３４を統括的に制御するための統括制御プログラムが記憶されている。統括ＣＰＵ３１ａは、各種制御コマンドを入力すると、当該統括制御プログラムに基づき各種制御を実行する。
【００７６】
次に、図７に基づき表示制御基板３２について説明する。
表示制御基板３２には、サブＣＰＵ３２ａが備えられている。該サブＣＰＵ３２ａには、ＲＯＭ３２ｂ及びＲＡＭ３２ｃが接続されている。また、表示制御基板３２（サブＣＰＵ３２ａ）には、演出表示器２２が接続されている。ＲＯＭ３２ｂには、演出表示器２２の表示内容を制御するための表示制御プログラムが記憶されている。また、ＲＯＭ３２ｂには、各種の画像データ（図柄、各種背景画像、文字、キャラクタなどの画像データ）が記憶されている。また、ＲＡＭ３２ｃには、パチンコ遊技機１０の動作中に適宜書き換えられる各種の情報が記憶（設定）されるようになっている。
【００７７】
次に、メインＣＰＵ３０ａが、メイン制御プログラムに基づき実行する入賞処理や変動パターン決定処理などの各種処理について説明する。本実施形態では、以下の処理を実行するメインＣＰＵ３０ａが、当り抽選手段、及び当り種決定手段として機能する。
【００７８】
主制御基板３０のメインＣＰＵ３０ａは、上始動入賞口２５又は下始動入賞口２６へ遊技球が入球し、該遊技球を検知した始動口センサＳＥ１，ＳＥ２が出力する検知信号を入力するとＲＡＭ３０ｃに記憶されている特図保留記憶数が上限数（本実施形態では４）未満であるか否かの保留判定を行う。
【００７９】
保留判定の判定結果が肯定（特図保留記憶数＜４）の場合、メインＣＰＵ３０ａは、保留記憶数を１加算（＋１）し、特図保留記憶数を書き換える。また、メインＣＰＵ３０ａは、保留判定を肯定判定している場合、特図用の当り判定用乱数の値と特図振分用乱数の値をＲＡＭ３０ｃから取得し、該値を特図保留記憶数に対応付けてＲＡＭ３０ｃの所定の記憶領域に格納する。なお、メインＣＰＵ３０ａは、保留判定の判定結果が否定（特図保留記憶数＝４）の場合、上限数を超える特図保留記憶数の書き換えを行わないとともに、特図用の当り判定用乱数の値と特図振分用乱数の値を取得しない。
【００８０】
そして、メインＣＰＵ３０ａは、図柄変動ゲームの開始直前に、特図保留記憶数に対応付けてＲＡＭ３０ｃの所定の記憶領域に格納した特図用の当り判定用乱数の値を読み出し、その読み出した特図用の当り判定用乱数の値とＲＯＭ３０ｂに記憶されている大当り判定値とを比較し、大当りか否かの大当り判定（大当り抽選）を行う。なお、大当り判定においてメインＣＰＵ３０ａは、遊技状態が通常状態である場合には、低確率用の大当り判定値と特図用の当り判定用乱数の値を比較し、遊技状態が確変状態である場合には、高確率用の大当り判定値と特図用の当り判定用乱数の値を比較する。
【００８１】
大当り判定の判定結果が肯定（特図用の当り判定用乱数の値と大当り判定値とが一致）の場合、メインＣＰＵ３０ａは、大当りを決定する。具体的には、メインＣＰＵ３０ａは、特図振分用乱数の値をもとに、図柄変動ゲームで確定停止表示させる大当り図柄（特図）を決定する。図柄Ａ〜Ｅには所定個数ずつ特図振分用乱数が振分けられているため、メインＣＰＵ３０ａは、特図振分用乱数の値に基づいて、図柄Ａ〜Ｅに分類される大当り図柄（特図）を決定することになる。また、大当りを決定したメインＣＰＵ３０ａは、決定した最終停止図柄から大当り遊技の種類を特定し、その特定した大当り遊技に対応する大当り演出用の変動パターンの中から１つの変動パターンを選択し、決定する。
【００８２】
また、メインＣＰＵ３０ａは、大当り判定の判定結果が否定（特図用の当り判定用乱数の値と大当り判定値とが不一致）の場合、特図用の当り判定用乱数の値とＲＯＭ３０ｂに記憶されている小当り判定値を比較して、小当りか否かの小当り判定を行う。小当り判定の判定結果が肯定（特図用の当り判定用乱数の値と小当り判定値とが一致）の場合、メインＣＰＵ３０ａは、小当りを決定する。具体的には、メインＣＰＵ３０ａは、小当り図柄振分用乱数の値をもとに、図柄変動ゲームで確定停止表示させる小当り図柄（特図）を決定する。また、小当りを決定したメインＣＰＵ３０ａは、小当り遊技の当選時に選択可能な変動パターンの中から一つの変動パターンを選択し、決定する。
【００８３】
また、メインＣＰＵ３０ａは、小当り判定の判定結果が否定（特図の当り判定用乱数の値と小当り判定値とが不一致）の場合、はずれを決定する。そして、メインＣＰＵ３０ａは、特図表示器２３で行われる図柄変動ゲームで確定停止表示させる特図としてはずれ図柄を決定する。また、はずれを決定したメインＣＰＵ３０ａは、はずれリーチ演出を実行するか否かを決定する。具体的には、メインＣＰＵ３０ａは、ＲＡＭ３０ｃから取得したリーチ判定用乱数が、リーチ判定値に一致するか否かによりリーチ判定を行う。なお、リーチ判定値は、特図保留記憶数の値によって異なるようになっている。
【００８４】
詳しく説明すると、図９に示すように、大当り抽選の抽選確率状態が高確率抽選状態であるか否かを問わず、変短状態が付与されていない場合、特図保留記憶数が「０」「１」である場合には、メインＣＰＵ３０ａは、２３／１６３の確率でリーチ判定を肯定判定する。同様に、メインＣＰＵ３０ａは、特図保留記憶数が「２」である場合には、１８／１６３の確率でリーチ判定を肯定判定する。同様に、メインＣＰＵ３０ａは、特図保留記憶数が「３」である場合には、８／１６３の確率でリーチ判定を肯定判定する。
【００８５】
このように、特図保留記憶数が多いほど、すなわち、保留されている図柄変動ゲームが多いほど、リーチ判定の当選確率が低くなる。このため、保留されている図柄変動ゲームが多いほど、保留されている図柄変動ゲームの消化を早くすることができる。その一方、特図保留記憶数の数が少ないほど、すなわち、保留されている図柄変動ゲームが少ないほど、リーチ判定の当選確率が高くなる。このため、特図保留記憶数の数が少ないときには、リーチ演出を実行させて変動時間を長くする確率を高くして、図柄変動ゲームが途切れないようにすることができる。一方、大当り抽選の抽選確率状態が高確率抽選状態であるか否かを問わず、変短状態が付与されている場合、特図保留記憶数の値に拘らず、メインＣＰＵ３０ａは、７／１６３の確率でリーチ判定を肯定判定する。
【００８６】
そして、このリーチ判定の判定結果が肯定（はずれリーチ演出を実行する）の場合、メインＣＰＵ３０ａは、はずれリーチ演出の当選時に選択可能な変動パターンの中から一つの変動パターンを選択し、決定する。一方、前記判定結果が否定（はずれリーチ演出を実行しない）の場合、メインＣＰＵ３０ａは、はずれ演出の当選時に選択可能な変動パターンの中から一つの変動パターンを選択し、決定する。
【００８７】
本実施形態のメインＣＰＵ３０ａは、図１０及び図１１に示す選択率にしたがってはずれ演出の変動パターンを決定する。はずれ演出用の変動パターンの選択率は、当該変動分を減算した残りの特図保留記憶数に応じて設定されている。そして、メインＣＰＵ３０ａは、遊技状態が「低確＋変短なし」及び「高確＋変短なし」の場合、図１０に示す変短なし時の変動パターン選択率にしたがってはずれ演出用の変動パターンを選択する。変短なし時においてメインＣＰＵ３０ａは、特図保留記憶数が「０」「１」の場合、２４１／２４１の選択率で変動パターンＰ１を選択し、決定する。また、変短なし時においてメインＣＰＵ３０ａは、特図保留記憶数が「２」の場合、１２／２４１の選択率で変動パターンＰ１を、２２９／２４１の選択率で変動パターンＰ２を、選択し、決定する。また、変短なし時においてメインＣＰＵ３０ａは、特図保留記憶数が「３」の場合、２／２４１の選択率で変動パターンＰ１を、１０／２４１の選択率で変動パターンＰ２を、２２９／２４１の選択率で変動パターンＰ３を、それぞれ選択し、決定する。
【００８８】
また、メインＣＰＵ３０ａは、遊技状態が「低確＋変短あり」及び「高確＋変短あり」の場合、図１１に示す変短あり時の変動パターン選択率にしたがってはずれ演出用の変動パターンを選択する。変短あり時においてメインＣＰＵ３０ａは、特図保留記憶数に拘らず、２／２４１の選択率で変動パターンＰ１を、９／２４１の選択率で変動パターンＰ２を、２３０／２４１の選択率で変動パターンＰ３をそれぞれ選択し、決定する。
【００８９】
特図及び変動パターンを決定したメインＣＰＵ３０ａは、所定の制御コマンドを所定のタイミングで統括制御基板３１（統括ＣＰＵ３１ａ）に出力する。具体的に言えば、メインＣＰＵ３０ａは、変動パターンを指示するとともに図柄変動ゲームの開始を指示する変動パターン指定コマンドを最初に出力する。また、同時に、メインＣＰＵ３０ａは、図柄変動ゲームの演出時間の計測を開始する。次に、メインＣＰＵ３０ａは、特図を指示する特別図柄指定コマンドを出力する。そして、メインＣＰＵ３０ａは、指示した変動パターンに定められている変動時間の経過時に、図柄変動ゲームの終了（図柄の確定停止）を指示する全図柄停止コマンドを出力する。また、メインＣＰＵ３０ａは、図柄変動ゲームの開始時に特図保留記憶数を１減算（−１）し、特図保留記憶数を書き換える。そして、メインＣＰＵ３０ａは、図柄変動ゲームの開始に伴って特図表示器２３の表示内容を制御する。すなわち、メインＣＰＵ３０ａは、図柄変動ゲームの開始により特図の変動を開始させ、決定した変動パターンに定められている変動時間の経過時に決定した特図（大当り図柄、又ははずれ図柄）を確定停止表示させる。
【００９０】
次に、メインＣＰＵ３０ａが実行する制御内容として、大当り遊技時及び小当り遊技時の制御内容を説明する。
メインＣＰＵ３０ａは、大当り遊技及び小当り遊技の各開始時にオープニングコマンドを出力するとともに、各ラウンド遊技の開始時にラウンドコマンドを出力し、さらに終了時にエンディングコマンドを出力する。オープニングコマンドはオープニングの開始を指示し、ラウンドコマンドはラウンド遊技の開始を指示し、エンディングコマンドはエンディングの開始を指示する。また、メインＣＰＵ３０ａは、各ラウンド遊技の開始時に、大入賞口扉２８を開放させるための開放信号を出力する。開放信号は、大入賞口扉２８の大入賞口ソレノイドＳＯＬ１に対して出力され、前記開放信号によって前記大入賞口ソレノイドＳＯＬ１が作動し、大入賞口扉２８が開動作される。また、メインＣＰＵ３０ａは、ラウンド遊技毎に予め定めたラウンド遊技時間を計測するとともに、カウントセンサＳＥ３からの検知信号を入力してラウンド遊技中に入球した遊技球の入球個数をカウントする。そして、メインＣＰＵ３０ａは、ラウンド遊技時間が経過したこと、及び入球上限個数の遊技球が入球したことの何れかの終了条件を満たすことにより、大入賞口扉２８を閉鎖させるための閉鎖信号を出力する。閉鎖信号は、大入賞口扉２８の大入賞口ソレノイドＳＯＬ１に対して出力され、前記閉鎖信号によって前記大入賞口ソレノイドＳＯＬ１が作動し、大入賞口扉２８が閉動作される。
【００９１】
大当り遊技及び小当り遊技を終了させたメインＣＰＵ３０ａは、確変大当り遊技が付与された場合、確変状態を付与することを示す確変フラグに「１」を設定する。なお、確変フラグに「１」が設定されている場合には、確変状態が付与されていることを示し、「０」が設定されている場合には、確変状態が付与されていないことを示している。また、メインＣＰＵ３０ａは、非確変大当り遊技が付与された場合、確変状態を付与することを示す確変フラグに「０」を設定する。また、メインＣＰＵ３０ａは、確変状態の終了時まで変短状態を付与する場合、変短状態を付与することを示す作動フラグに「１」を設定する。なお、作動フラグに「１」が設定されている場合には、変短状態が付与されていることを示し、「０」が設定されている場合には、変短状態が付与されていないことを示している。なお、各フラグはＲＡＭ３０ｃの所定の記憶領域に記憶されるとともに、大当り遊技が付与された場合にクリアされる（「０」が設定される）ようになっている。
【００９２】
また、メインＣＰＵ３０ａは、１００回変短付き確変１５ラウンド大当り遊技又は非確変１５ラウンド大当り遊技が付与される場合には、変短状態を付与する図柄変動ゲームの回数として、作動回数に１００回を設定する。この変短状態付与回数は、図柄変動ゲームが実行される毎に１減算され、値が０となると、作動フラグがクリアされる（「０」が設定される）。
【００９３】
そして、メインＣＰＵ３０ａは、大当り遊技の終了後、遊技状態を確変状態及び変短状態とする場合には高確率指定コマンドと変短作動コマンドを出力し、変短状態とする場合には変短作動コマンドのみを出力する。一方、小当り遊技の場合、小当り当選時の遊技状態が維持されることから、メインＣＰＵ３０ａは、小当り遊技中も小当り当選時の遊技状態で制御し、かつ小当り遊技終了後には遊技状態を指定するコマンドを出力しない。すなわち、メインＣＰＵ３０ａは、小当り遊技に当選した場合、確変状態を付与するか否かの状態移行判定を行わない。
【００９４】
次に、統括制御基板３１について説明する。
統括制御基板３１の統括ＣＰＵ３１ａは、変動パターン指定コマンドを入力すると、該コマンドを各制御基板３２〜３４に出力する。また、統括ＣＰＵ３１ａは、特別図柄指定コマンドを入力すると、該コマンドに対応する特図の停止図柄指定に応じて演出表示器２２に停止表示させる図柄組み合わせを構成する飾図を決定する。
【００９５】
飾図の決定において統括ＣＰＵ３１ａは、特別図柄指定コマンドで指定された停止図柄（特図）が、第１の確変１５ラウンド大当り遊技に対応する大当り図柄の場合、飾図の図柄組み合わせとして、第１の確変１５ラウンド大当りを認識し得る図柄組み合わせ（本実施形態では奇数図柄）を決定する。また、特別図柄指定コマンドで指定された停止図柄が、第２の確変１５ラウンド大当り遊技、１００回変短付き確変１５ラウンド大当り、及び非確変１５ラウンド大当り遊技の何れかに対応する大当り図柄であったとする。この場合、統括ＣＰＵ３１ａは、飾図の図柄組み合わせとして、確変大当りに当選したのか非確変大当りに当選したのかを認識し得ない図柄組み合わせ（本実施形態では偶数図柄）を決定する。また、統括ＣＰＵ３１ａは、特別図柄指定コマンドで指定された停止図柄が、確変２ラウンド大当り遊技に対応する大当り図柄の場合、飾図の図柄組み合わせとして、はずれを認識し得る図柄組み合わせのうち、確変示唆の図柄組み合わせを決定する。確変示唆の図柄組み合わせは、リーチを形成しないはずれの図柄組み合わせからなる。また、統括ＣＰＵ３１ａは、特別図柄指定コマンドで指定された停止図柄（特図）が、小当り図柄の場合には、確変２ラウンド大当り遊技の時と同様に、確変示唆の図柄組み合わせを決定する。
【００９６】
また、統括ＣＰＵ３１ａは、特別図柄指定コマンドで指定された停止図柄が、小当り図柄を除くはずれ図柄の場合、はずれを認識し得る図柄組み合わせを決定する。なお、はずれ図柄の場合にはずれを認識し得る図柄組み合わせを決定する際には、前記確変示唆の図柄組み合わせを除いて組み合わせを決定しても良いし、前記確変示唆の図柄組み合わせを含んで組み合わせを決定しても良い。また、はずれを認識し得る図柄組み合わせを決定する場合、統括ＣＰＵ３１ａは、はずれリーチ演出用の変動パターンが指示されている場合、リーチ形成図柄を含むはずれを認識し得る図柄組み合わせを決定する。一方、統括ＣＰＵ３１ａは、はずれ演出用の変動パターンが指示されている場合、リーチ形成図柄を含まないはずれを認識し得る図柄組み合わせを決定する。そして、飾図を決定した統括ＣＰＵ３１ａは、飾図を指示する飾り図柄指定コマンドを表示制御基板３２に出力する。また、統括ＣＰＵ３１ａは、全図柄停止コマンドを入力すると、該コマンドを各制御基板３２〜３４に出力する。
【００９７】
次に、統括ＣＰＵ３１ａが実行する演出モードに係る制御内容を説明する。
統括ＣＰＵ３１ａは、メインＣＰＵ３０ａが出力する特別図柄指定コマンドで指示された大当り図柄の種類と、変短状態の作動／非作動（終了）に係る各指定コマンドと、演出モードフラグの設定値をもとに、演出モードの移行態様を制御する。演出モードフラグは、現在滞在している演出モードを識別可能な情報で構成されており、ＲＡＭ３１ｃに設定される。統括ＣＰＵ３１ａは、演出モードフラグを設定すると、滞在中の演出モードを指示するモード指定コマンドを各制御基板３２〜３４に出力する。なお、統括ＣＰＵ３１ａによる演出モードに係る制御、すなわち演出モードの移行に係る具体的な制御内容は後述する。
【００９８】
次に、統括ＣＰＵ３１ａが実行する大当り遊技に係る制御内容を説明する。
統括ＣＰＵ３１ａは、オープニングコマンド、ラウンドコマンド及びエンディングコマンドを入力すると、これらのコマンドに応じてオープニング演出の演出内容、ラウンド演出の演出内容、及びエンディング演出の演出内容を決定する。そして、統括ＣＰＵ３１ａは、決定した演出内容を指示する演出指示コマンドを各制御基板３２〜３４にそれぞれ出力する。
【００９９】
次に、表示制御基板３２について説明する。
表示制御基板３２のサブＣＰＵ３２ａは、変動パターン指定コマンドを入力すると、該コマンドに指示される変動パターンに対応する演出内容を選択し、該演出内容で図柄変動ゲームを実行させるように演出表示器２２の表示内容を制御する。このとき、サブＣＰＵ３２ａは、選択した演出内容をもとにＲＯＭ３２ｂの画像データを用いて前記演出内容に沿った画像を表示するための表示用データを生成する。
【０１００】
そして、サブＣＰＵ３２ａは、図柄変動ゲームの開始に伴って該ゲームの開始からの経過時間を計時し、その計時した時間と表示用データをもとに演出表示器２２に映し出す画像を所定の制御周期毎（例えば、４ｍｓ毎）に切り替える。そして、サブＣＰＵ３２ａは、図柄変動ゲーム中に全図柄停止コマンドを入力すると、飾り図柄指定コマンドで指示された図柄を演出表示器２２に確定停止表示させるように演出表示器２２の表示内容を制御し、図柄変動ゲームを終了させる。また、サブＣＰＵ３２ａは、モード指定コマンドを入力すると、その指示内容に基づき、背景画像を変化させる。
【０１０１】
次に、統括ＣＰＵ３１ａが実行するモード制御について説明する。
最初に、変短状態が付与されている高確示唆モード中におけるモード制御について、図１２に従って説明する。
【０１０２】
まず、統括ＣＰＵ３１ａは、ＲＡＭ３１ｃに記憶されている演出モードフラグを確認する（ステップＳ１０１）。なお、演出モードフラグに「１」が設定されている場合には、演出モードが通常モードであることを示し、演出モードフラグに「２」が設定されている場合には、演出モードが第１の高確示唆モードであることを示し、演出モードフラグに「３」が設定されている場合には、演出モードが第２の高確示唆モードであることを示している。また、演出モードフラグに「４」が設定されている場合には、演出モードが第３の高確示唆モードであることを示し、演出モードフラグに「５」が設定されている場合には、演出モードが第４の高確示唆モードであることを示し、演出モードフラグに「６」が設定されている場合には、演出モードが高確確定モードであることを示している。
【０１０３】
このとき、統括ＣＰＵ３１ａは、演出モードフラグに第１の高確示唆モード〜第３の高確示唆モードのうちいずれか１つを示す値が設定されているか否かを判定する。この判定結果が否定（第１の高確示唆モード〜第３の高確示唆モードではない）の場合、統括ＣＰＵ３１ａは、変短時モード移行処理を終了する。
【０１０４】
一方、ステップＳ１０１の判定結果が肯定（第１の高確示唆モード〜第３の高確示唆モードのうちいずれか）の場合、統括ＣＰＵ３１ａは、現在の図柄変動ゲームが、大当り遊技終了後、何回目の図柄変動ゲーム（現在の回転数）であるかを確認する（ステップＳ１０２）。具体的には、統括ＣＰＵ３１ａは、変短状態が付与されている場合、大当り遊技終了後に実行される図柄変動ゲームの回数を、ＲＡＭ３１ｃの所定の記憶領域に設定した回転数フラグで管理している。このため、統括ＣＰＵ３１ａは、回転数フラグに設定された値を確認することで、現在の図柄変動ゲームが、大当り遊技終了後、何回目の図柄変動ゲームであるかを確認することになる。
【０１０５】
次に、統括ＣＰＵ３１ａは、大当り抽選への当選に基づいて決定された大当りの種類を、入力した特別図柄指定コマンドによって確認する（ステップＳ１０３）。その後、統括ＣＰＵ３１ａは、ステップＳ１０２で読み出した回転数が９１回転未満であるか否かを確認する（ステップＳ１０４）。ステップＳ１０４の判定結果が肯定（９０回転以内）の場合、統括ＣＰＵ３１ａは、続いてＲＡＭ３１ｃの所定の記憶領域に設定されたモードストック放出フラグに移行先の演出モードを特定する値が設定されているか（ストックされているか）否かを判定する（ステップＳ１０５）。当該モードストック放出フラグは、今回の図柄変動ゲームより前に、移行抽選に当選したことによって演出モードを移行させることが内部的には決定されたが、その移行契機となる変動パターンがまだ選択されていないことを示すフラグである。ちなみに、モードストック放出フラグに「０」が設定されている場合には、移行先の演出モードが設定されていないことを示し、モードストック放出フラグに「１」が設定されている場合には、移行先の演出モードが通常モードであることを示している。また、モードストック放出フラグに「２」が設定されている場合には、移行先の演出モードが第１の高確示唆モードであることを示している。さらに、モードストック放出フラグに「３」が設定されている場合には、移行先の演出モードが第２の高確示唆モードであることを示し、モードストック放出フラグに「４」が設定されている場合には、移行先の演出モードが第３の高確示唆モードであることを示している。また、モードストック放出フラグに「５」が設定されている場合には、移行先の演出モードが第４の高確示唆モードであることを示し、モードストック放出フラグに「６」が設定されている場合には、移行先の演出モードが高確確定モードであることを示している。
【０１０６】
ステップＳ１０５の判定結果が肯定（ストックあり）の場合、統括ＣＰＵ３１ａは、一次抽選を実行することなく変短時モード移行処理を終了する。つまり、統括ＣＰＵ３１ａは、モードストック放出フラグが設定されている場合には、新たな抽選を実行しない。一方、ステップＳ１０５の判定結果が否定（ストックなし）の場合、統括ＣＰＵ３１ａは、ステップＳ１０２で読み出した現在の回転数と、ステップＳ１０３で読み出した大当りの種類に従って、図１４〜図１６に示す変短時移行テーブルに基づいて演出モードを移行させるか否かを決定する一次抽選（モード移行抽選）を実行する（ステップＳ１０６）。このとき、統括ＣＰＵ３１ａは、ＲＡＭ３１ｃから、第１モード移行用乱数を取得する。当該第１モード移行用乱数は、統括ＣＰＵ３１ａによって所定の周期毎に順次更新される乱数であり、統括ＣＰＵ３１ａは、更新後の値をＲＡＭ３１ｃの設定領域に設定して更新前の値を書き換えている。本実施形態では、第１モード移行用乱数の取り得る数値を０〜２１０までの全２１１通りの整数としている。
【０１０７】
そして、統括ＣＰＵ３１ａは、変短時移行テーブルを用いて、現在滞在中の演出モード、大当りの種類、回転数フラグの値、及び第１モード移行用乱数に基づき、演出モードを移行させるか否かを決定する。
【０１０８】
図１４〜図１６に示すように、変短時移行テーブルは、現在の演出モードの種類によって大きく分類されているとともに、回転数フラグの値によって細かく分類されており、それぞれ「当選」を特定する当選パターン及び「非当選」を特定する非当選パターンが対応付けられている。そして、各当選パターン及び各非当選パターンには、第１モード移行用乱数がそれぞれ振り分けられている。
【０１０９】
さらに、現在の演出モードが第１の高確示唆モードであるときに選択される変短時移行テーブル（図１４）及び現在の演出モードが第２の高確示唆モードであるときに選択される変短時移行テーブル（図１５）では、非確変１５ラウンド大当り、第２の確変１５ラウンド大当り、１００回変短付き確変１５ラウンド大当りのうちいずれかに当選したことによって設定される第１の高確示唆モードにおいて、大当り遊技終了後の回転数が増加するに従って、一次抽選に当選する確率が高くなるように設定されている。ただし、非確変１５ラウンド大当りに当選したことによって設定される第１の高確示唆モードは、その他の大当りに当選したことによって設定される第１の高確示唆モード滞在時よりも、一次抽選に当選し難くなっている。なお、以下の説明では、図１４に示すテーブルを第１の変短時移行テーブルと示す一方で、図１５に示すテーブルを第２の変短時移行テーブルと示す。
【０１１０】
一方、現在の演出モードが第３の高確示唆モードであるときに選択される変短時移行テーブル（図１６）では、非確変１５ラウンド大当り又は１００回変短付き確変大当りに当選した場合、大当り遊技終了後の回転数に拘らず、一次抽選に当選しないように設定されている。なお、以下の説明では、図１６の示すテーブルを第３の変短時移行テーブルと示す。また、第３の変短時移行テーブル（図１６）では、当該演出モードが、第２の確変１５ラウンド大当りに当選したことによって設定された第３の高確示唆モードである場合、大当り遊技終了後の回転数が増加するに従って、一次抽選に当選する確率が高くなるように設定されている。なお、第３の変短時移行テーブルでは、第１の変短時移行テーブル及び第２の変短時移行テーブルに比して、一次抽選に当選する確率が低くなるように設定されている。
【０１１１】
例えば、第２の確変１５ラウンド大当りに当選したことによって設定された第１の高確示唆モード滞在中における回転数フラグの値が「３０」であるとする。この場合、統括ＣＰＵ３１ａは、１４／２１１の確率で「当選」を決定することとなり、１９７／２１１の確率で「非当選」を決定することとなる。
【０１１２】
また、各変短時移行テーブルでは、大当り遊技終了後の回転数が９０回転目に到達するまでの間、各図柄変動ゲームの開始時に一次抽選が実行されるようになっており、９１回転目以降の図柄変動ゲームでは、一次抽選が実行されないようになっている。
【０１１３】
そして、統括ＣＰＵ３１ａは、演出モードの移行を決定したか否か、すなわち、ステップＳ１０６において当選パターンを決定したか否かを判定する（ステップＳ１０７）。そして、この判定結果が否定（非当選パターンを決定した）の場合、統括ＣＰＵ３１ａは、そのまま変短時モード移行処理を終了する。
【０１１４】
一方、ステップＳ１０７の判定結果が肯定（当選パターンを決定した）の場合、統括ＣＰＵ３１ａは、ステップＳ１０２で読み出した現在の回転数と、ステップＳ１０３で読み出した大当りの種類に従って、図１４〜図１６に示す変短時移行テーブルに基づき、移行先の演出モードを決定する二次抽選（移行抽選）を実行する（ステップＳ１０８）。このとき、統括ＣＰＵ３１ａは、ＲＡＭ３１ｃから、第２モード移行用乱数を取得する。当該第２モード移行用乱数は、統括ＣＰＵ３１ａによって所定の周期毎に順次更新される乱数であり、統括ＣＰＵ３１ａは、更新後の値をＲＡＭ３１ｃの設定領域に設定して更新前の値を書き換えている。本実施形態では、第２モード移行用乱数の取り得る数値を０〜９６までの全９７通りの整数としている。
【０１１５】
そして、統括ＣＰＵ３１ａは、変短時移行テーブルを用いて、現在滞在中の演出モード、大当りの種類、回転数フラグの値、及び第２モード移行用乱数に基づき、移行先の演出モードを決定する。
【０１１６】
図１４〜図１６に示す変短時移行テーブルでは、現在のモードの種類を示す演出モードフラグの値、大当りの種類、及び回転数フラグの値に応じて移行先の演出モードが対応付けられている。図１４〜図１６に示す変短時移行テーブルでは、「第２の高確示唆モード」を特定する第２の高確示唆パターン、「第３の高確示唆モード」を特定する第３の高確示唆パターン、「第４の高確示唆モード」を特定する第４の高確示唆パターン、及び「演出モードを移行させないこと（非当選）」を特定する非当選パターンが対応付けられている。そして、各パターンには、第２モード移行用乱数がそれぞれ振り分けられている。
【０１１７】
そして、第１の変短時移行テーブル（図１４）では、非確変１５ラウンド大当り又は１００回変短付き確変１５ラウンド大当りに当選したことによって設定された第１の高確示唆モード滞在中に一次抽選に当選した場合、大当り遊技終了後の回転数が増加するに従って、二次抽選に当選する確率が高くなるように設定されている。具体的には、第３の高確示唆パターン＜第２の高確示唆パターン＜非当選パターンの順に選択確率が高くなるように設定されているとともに、第４の高確示唆パターンには第２モード移行用乱数の値が振分けられていない。ただし、非確変１５ラウンド大当りに当選したことによって設定される第１の高確示唆モードは、１００回変短付き確変１５ラウンド大当りに当選したことによって設定される第１の高確示唆モード滞在時よりも、第３の高確示唆パターンや第２の高確示唆パターンの選択率が低くなるように設定されている。一方、第１の変短時移行テーブル（図１４）において、第２の確変１５ラウンドに当選したことによって設定された第１の高確示唆モード滞在中に一次抽選に当選した場合、大当り遊技終了後の回転数が増加するに従って、二次抽選に当選する確率が高くなるように設定されている。具体的には、第４の高確示唆パターン＜第３の高確示唆パターン＜第２の高確示唆パターン＜非当選パターンの順に選択確率が高くなるように設定されている。すなわち、第２の確変１５ラウンド大当りに当選したことによって設定された第１の高確示唆モードに滞在している場合のみ、第４の高確示唆モードに移行可能となっている。
【０１１８】
また、第２の変短時移行テーブル（図１５）では、非確変１５ラウンド大当り又は１００回変短付き確変１５ラウンド大当りに当選したことによって設定された第２の高確示唆モード滞在中に一次抽選に当選した場合、大当り遊技終了後の回転数が増加するに従って、二次抽選に当選する確率が高くなるように設定されている。具体的には、第３の高確示唆パターン＜非当選パターンの順に選択確率が高くなるように設定されているとともに、第２の高確示唆パターン及び第４の高確示唆パターンには第２モード移行用乱数の値が振分けられていない。ただし、非確変１５ラウンド大当りに当選したことによって設定される第２の高確示唆モードは、１００回変短付き確変１５ラウンド大当りに当選したことによって設定される第２の高確示唆モード滞在時よりも、第３の高確示唆パターンの選択率が低くなるように設定されている。一方、第２の変短時移行テーブル（図１５）において、第２の確変１５ラウンドに当選したことによって設定された第２の高確示唆モード滞在中に一次抽選に当選した場合、大当り遊技終了後の回転数が増加するに従って、二次抽選に当選する確率が高くなるように設定されている。具体的には、第３の高確示唆パターン＜第４の高確示唆パターン＜非当選パターンの順に選択確率が高くなるように設定されているとともに、第２の高確示唆パターンには第２モード移行用乱数の値が振分けられていない。すなわち、第２の確変１５ラウンド大当りに当選したことによって設定された第２の高確示唆モードに滞在している場合のみ、第４の高確示唆モードに移行可能となっているとともに、第１の高確示唆モード滞在中よりも第４の高確示唆モードが選択される確率が高くなるように設定されている。
【０１１９】
また、第３の変短時移行テーブル（図１６）では、非確変１５ラウンド大当り又は１００回変短付き確変１５ラウンド大当りに当選したことによって設定された第３の高確示唆モード滞在中に一次抽選を行ったとしても、非当選パターンのみが選択されるように第２モード移行用乱数の値が振分けられている。一方、第２の確変１５ラウンド大当りに当選したことによって設定された第３の高確示唆モード滞在中に一次抽選に当選した場合には、必ず第４の高確示唆パターンが選択されるように第２モード移行用乱数の値が振分けられている。したがって、第２の確変１５ラウンド大当りに当選したことによって設定された第３の高確示唆モード滞在中のみ、第４の高確示唆モードに移行し得る。
【０１２０】
例えば、第２の確変１５ラウンド大当りに当選したことによって設定された第１の高確示唆モード滞在中における回転数フラグの値が「３０」であって、さらに一次抽選に当選したとする。この場合、統括ＣＰＵ３１ａは、３０／９７の確率で「第２の高確示唆モード」を、８／９７の確率で「第３の高確示唆モード」を、６／９７の確率で「第４の高確示唆モード」を、５３／９７の確率で「第１の高確示唆モード（非当選）」を決定することとなる。
【０１２１】
また、各変短時移行テーブルでは、一次抽選と同様、大当り遊技終了後の回転数が９０回転目に到達するまでの間、各図柄変動ゲームの開始時に二次抽選が実行されるようになっており、９１回転目以降の図柄変動ゲームでは、二次抽選が実行されないようになっている。
【０１２２】
このような変短時移行テーブルを設定することにより、変短状態が付与されている高確示唆モード中は、昇格抽選によって現在の演出モードよりも確変状態である期待度が高く設定された高確示唆モードに移行させるか否かが決定される。つまり、変短状態が付与されている高確示唆モード中は、確変状態が付与されていることに対して期待を持たせることができるようになっている。そして、当該昇格抽選に当選しなかった場合であっても、現在の演出モードが継続されるので、現在の演出モードよりも確変状態である期待度が低く設定された演出モードに移行することはない。また、第２の確変１５ラウンド大当りに当選している場合にしか、第４の高確示唆モードは選択され得ない。
【０１２３】
そして、統括ＣＰＵ３１ａは、二次抽選の抽選結果に基づいて移行先（昇格先）の演出モードを決定し（ステップＳ１０９）、決定した演出モードを特定する値を、モードストック放出フラグに設定（ストック）した後（ステップＳ１１０）、そのまま変短時モード移行処理を終了する。
【０１２４】
一方、ステップＳ１０４の判定結果が否定（９１回転以降）の場合、統括ＣＰＵ３１ａは、モードストック放出フラグに設定した値を読み出して確認する（ステップＳ１１１）。このとき、統括ＣＰＵ３１ａは、演出モードフラグが第１の高確示唆モード〜第３の高確示唆モードのうちいずれか１つを示しているか否かを判定する。この判定結果が否定（第１の高確示唆モード〜第３の高確示唆モードではない）の場合、統括ＣＰＵ３１ａは、ステップＳ１０２で読み出した回転数が１００回転であるか否かを確認する（ステップＳ１１２）。ステップＳ１１２の判定結果が肯定（１００回転目）の場合、統括ＣＰＵ３１ａは、ステップＳ１０３で読み出した大当りの種類が第２の確変１５ラウンド大当りであるか否かを判定する（ステップＳ１１３）。ステップＳ１１３の判定結果が肯定（第２の確変１５ラウンド大当りである）の場合、統括ＣＰＵ３１ａは、１００回転目の図柄変動ゲームの開始時に、第４の高確示唆モードを特定する値（本実施形態では「５」）を、モードストック放出フラグに強制的に設定し（ステップＳ１１４）、変短時モード移行処理を終了する。
【０１２５】
一方、ステップＳ１１２の判定結果が否定（９１回転以上１００回転未満）の場合、及びステップＳ１１３の判定結果が否定（第２の確変１５ラウンド大当り以外の大当り）の場合、統括ＣＰＵ３１ａは、そのまま変短時モード移行処理を終了する。なお、本実施形態では、第２の確変１５ラウンド大当りに当選したことによって、モードストック放出フラグに第４の高確示唆モードを特定する値が設定されているが、図柄変動ゲームの実行回数が１００回を超えてもモードを移行させることのできる変動パターンが選択されていない場合も、変短時モード移行処理が終了することになる。
【０１２６】
また、ステップＳ１１１の判定結果が肯定（第１の高確示唆モード〜第３の高確示唆モードが設定されている）の場合、統括ＣＰＵ３１ａは、モードストック放出フラグの値をクリアし（ステップＳ１１５）、変短中モード移行処理を終了する。つまり、統括ＣＰＵ３１ａは、第４の高確示唆モード以外の高確示唆モードには、９１回目以降の図柄変動ゲームでは移行させない。
【０１２７】
そして、統括ＣＰＵ３１ａは、大当り遊技終了後、図柄変動ゲームが実行される度にその実行回数をカウントするとともに、前記変短時モード移行処理を実行する。なお、統括ＣＰＵ３１ａは、当りに当選した場合、回転数フラグの値をクリアする。また、統括ＣＰＵ３１ａは、第４の高確示唆モードに移行させた場合や、高確確定モードに移行した場合は、回転数のカウントは行わない。
【０１２８】
そして、統括ＣＰＵ３１ａは、図柄変動ゲームの開始時に、モードストック放出フラグに移行先の演出モードを特定する値が設定されているか否かを判定する。当該判定結果が肯定の場合、統括ＣＰＵ３１ａは、メインＣＰＵ３０ａから入力した変動パターン指定コマンドが、特定の変動パターン（本実施形態では、変動パターンＰ１又は変動パターンＰ７）を指定するコマンドであるか否かを判定する。そして、入力した変動パターン指定コマンドが、変動パターンＰ１又は変動パターンＰ７を指定するコマンドであった場合、統括ＣＰＵ３１ａは、モードストック放出フラグに設定された値で特定される演出モードに移行させるように、モード指定コマンドを各制御基板３２〜３４に夫々出力する。
【０１２９】
なお、本実施形態では、変短状態中、図柄変動ゲームの消化効率を上げるために、リーチ抽選の当選確率が低くなるように設定するとともに変動パターンＰ１よりも変動時間の短い「短縮変動」が設定された変動パターンＰ２，Ｐ３の選択率が高くなるように設定している。この場合、いくら変動パターンＰ１がモード移行契機となる変動パターンに設定されていたとしても、変短状態中は変動パターンＰ１が選択されにくいため、モード移行演出を実行することができない。そして、変短状態中に選択される確率が高い変動パターンＰ２，Ｐ３をモード移行契機となる変動パターンに設定したとすると、モード移行演出は、高確率抽選状態であるか否かを報知させる重要な演出にも拘らず、長い時間を掛けて遊技者を盛り上げることができないとともに、演出モードの移行が頻繁に実行されてしまう。したがって、本実施形態において変短状態が付与されているときの高確示唆モード中における演出モードの移行契機となる変動パターンを、変動パターンＰ１及び変動パターンＰ１と変動時間が略同一である変動パターンＰ７とした。
【０１３０】
例えば、大当り遊技終了後に第２の高確示唆モードに移行し、大当り遊技終了後、３５回目の図柄変動ゲームの開始時において、昇格抽選への当選によって「第３の高確示唆モード」への移行が決定されたとする。この場合、モードストック放出フラグに「３」が設定されるが、３５回目の図柄変動ゲームの変動内容を特定する変動パターンが変動パターンＰ１又は変動パターンＰ７ではない場合、当該図柄変動ゲームでは、第３の高確示唆モードに移行しない。また、３５回目の図柄変動ゲームにおいて、モードストック放出フラグに移行先の演出モードを特定する値が設定されているので、当該値で特定される演出モードに移行するまでは昇格抽選は実行されない。その後、例えば、４０回目の図柄変動ゲームにおいて変動パターンＰ１又は変動パターンＰ７が選択されたとする。この場合、４０回目の図柄変動ゲームにおいて、図６に示すようなモード移行演出が行われ、「第３の高確示唆モード昇格」という画像が表示され、第３の高確示唆モードに移行することになる。
【０１３１】
また、第２の確変１５ラウンド大当りに当選した場合、大当り遊技終了後、１００回目の図柄変動ゲームが終了するまでの間に、モードストック放出フラグに第４の高確示唆モードを特定する値が設定されていないときには、１００回目の図柄変動ゲームの開始時に、モードストック放出フラグに第４の高確示唆モードを特定する値が設定される。その後、変動パターンＰ１又は変動パターンＰ７を指定する変動パターン指定コマンドを入力した場合に、演出モードが第４の高確示唆モードに移行し、当該モードへの移行によって遊技者に現在の抽選確率状態が高確率抽選状態であることを認識させることができる。つまり、第２の確変１５ラウンド大当りに当選した場合は、「高確示唆モード」に滞在していたとしても、大当り遊技終了後、１０１回目の図柄変動ゲームからの開閉羽根２７の動作態様で第２の確変１５ラウンド大当りに当選していることが遊技者に分かるようになっている。これにより、現在の遊技状態を遊技者に秘匿しておく必要がないので、大当り遊技終了後、１０１回目以降の図柄変動ゲームにおいて、第４の高確示唆モードへ移行させることにより、現在の抽選確率状態が高確率抽選状態であることが、遊技者に報知される。
【０１３２】
また、第２の確変１５ラウンド大当りに当選している場合、大当り遊技終了後１００回目の図柄変動ゲームよりも前の図柄変動ゲームにおいて実行される二次抽選で第４の高確示唆モードに当選したとする。この場合、変動パターンＰ１又は変動パターンＰ７が選択されたのであれば、大当り遊技終了後１００回の図柄変動ゲームが実行された後ではなくても、当該変動パターンが選択された図柄変動ゲームで第４の高確示唆モードへの移行が報知されることになる。
【０１３３】
さらに、本実施形態では、変短状態中におけるリーチ確率が低くなるように設定しているとともに、リーチ抽選に当選しなかった場合は、短縮変動を特定する変動パターンＰ２，Ｐ３が選択される確率が高くなるように設定している。これにより、変短状態が付与されている高確示唆モード中は、モード移行契機となる変動パターンＰ１が選択されにくくなっているので、いくらＲＡＭ３１ｃに演出モードフラグが設定されているからといって、変動パターンＰ１が選択されない限り、演出モードを移行させることはできない。ところが、モード移行契機となる変動パターンとして、変動内容としてノーマルリーチを特定するはずれリーチ演出用の変動パターンＰ７を設定したことにより、元々はずれ演出用の変動パターンＰ１が選択されにくい変短状態中も、モード移行させる機会が増えることとなる。これにより、第２の確変１５ラウンド大当りに当選している場合には、第４の高確示唆モードに移行する機会も増えるので、いち早く現在の抽選確率状態が高確率抽選状態となっていることを遊技者に認識させることができるようになる。
【０１３４】
また、本実施形態では、変動パターンＰ７に対して、複数種類（本実施形態では２種類）の演出内容が対応付けられている。具体的には、変動パターンＰ７が指定された場合、演出表示器２２においてリーチを形成するはずれの図柄組み合わせを表示させる演出内容（通常変動内容）を特定する通常パターンが設定されている。さらに、変動パターンＰ７が選択された場合、演出表示器２２においてリーチを形成しないはずれの図柄組み合わせを表示させる演出内容（特殊変動内容）を特定する特殊パターンが設定されている。そして、これらのパターンは、ＲＯＭ３１ｂに記憶されている。
【０１３５】
これにより、統括ＣＰＵ３１ａは、変動パターンＰ７を指定する変動パターン指定コマンドを入力しており、且つ一次抽選に当選しなかった場合には、必ず通常パターンを選択し、当該通常パターンに基づく図柄変動を実行させるように通常パターン指定コマンドを表示制御基板３２に出力する。一方、統括ＣＰＵ３１ａは、変動パターンＰ７を指定する変動パターン指定コマンドを入力しており、且つモードストック放出フラグに移行先の演出モードを特定する値が設定されているとともに、二次抽選に当選したとする。この場合、統括ＣＰＵ３１ａは、必ず特殊パターンを選択し、当該特殊パターンに基づく図柄変動を実行させるように特殊パターン指定コマンドを表示制御基板３２に出力する。
【０１３６】
次に、変短状態が付与されていない場合におけるモード制御について、図１３に従って説明する。
最初に、統括ＣＰＵ３１ａは、ＲＡＭ３１ｃに設定されている演出モードフラグを確認する（ステップＳ２０１）。このとき、統括ＣＰＵ３１ａは、演出モードフラグに、通常モード、第１の高確示唆モード、及び第２の高確示唆モードのうちいずれか１つを特定する値が設定されているか否かを判定する。この判定結果が否定（通常モード、第１の高確示唆モード、及び第２の高確示唆モードではない）の場合、統括ＣＰＵ３１ａは、非変短時モード移行処理を終了する。
【０１３７】
一方、ステップＳ２０１の判定結果が肯定（通常モード、第１の高確示唆モード、及び第２の高確示唆モードのうちいずれか）の場合、統括ＣＰＵ３１ａは、ＲＡＭ３１ｃに設定されているモード回転数フラグの値を確認し、現在の図柄変動ゲームが、演出モードが移行してから何回目の図柄変動ゲーム（現在の回転数）であるかを確認する（ステップＳ２０２）。具体的には、統括ＣＰＵ３１ａは、演出モードを移行させた場合、演出モードを移行させてからの図柄変動ゲームの実行回数を、ＲＡＭ３１ｃの所定の記憶領域に設定したモード回転数フラグで管理している。このため、統括ＣＰＵ３１ａは、モード回転数フラグに設定された値を確認することで、現在の図柄変動ゲームが、演出モードが移行してから何回目の図柄変動ゲームであるかを確認することになる。
【０１３８】
次に、統括ＣＰＵ３１ａは、現在の抽選確率状態を、メインＣＰＵ３０ａから高確率指定コマンドを入力したか否かに基づいて確認する（ステップＳ２０３）。その後、統括ＣＰＵ３１ａは、モードストック放出フラグに、転落抽選への当選に従って決定された移行先の演出モードを特定する値が設定されているか（ストックされているか）否かを判定する（ステップＳ２０４）。ステップＳ２０４の判定結果が肯定（転落内容がストックされている）の場合、統括ＣＰＵ３１ａは、そのまま、非変短時モード移行処理を終了する。つまり、統括ＣＰＵ３１ａは、モードストック放出フラグに転落内容が設定されている場合には、新たな抽選を実行しない。一方、ステップＳ２０４の判定結果が否定（転落内容がストックされていない）の場合、統括ＣＰＵ３１ａは、モードストック放出フラグに、昇格抽選への当選に従って決定された移行先の演出モードを特定する値が設定されているか否かを判定する（ステップＳ２０５）。このように、本実施形態では、昇格抽選の実行後に転落抽選が実行されるようになっている。
【０１３９】
ステップＳ２０５の判定結果が否定（昇格内容がストックされていない）の場合、統括ＣＰＵ３１ａは、ステップＳ２０２で読み出した現在の回転数と、ステップＳ２０３で読み出した抽選確率状態の種類に従って、図１７に示す非変短時移行テーブルに基づいて演出モードを移行させるか否かを決定する一次抽選（昇格抽選）を実行する（ステップＳ２０６）。このとき、統括ＣＰＵ３１ａは、ＲＡＭ３１ｃから、第１モード移行用乱数を取得する。
【０１４０】
そして、統括ＣＰＵ３１ａは、非変短時移行テーブルを用いて、現在の演出モード、抽選確率状態、モード回転数フラグの値、及び第１モード移行用乱数に基づき、演出モードを移行させるか否かを決定する。
【０１４１】
非変短時移行テーブル（図１７）には、現在のモードの種類を示す演出モードフラグの値、抽選確率状態、及びモード回転数フラグの値に応じて当選とするか又は非当選とするかが対応付けられているとともに「当選」及び「非当選」には、第１モード移行用乱数が振り分けられている。なお、以下の説明では、図１７に示すテーブルを昇格用の非変短時移行テーブルと示す。
【０１４２】
昇格用の非変短時移行テーブル（図１７）では、通常モード滞在中、当該演出モードが開始してから２１回目以降の図柄変動ゲームでは、一次抽選が実行されないようになっているとともに、抽選確率状態が低確率抽選状態となっている場合は、一次抽選にほとんど当選し得ないように設定されている。ちなみに、抽選確率状態が高確率抽選状態となっている場合は、低確率抽選状態となっている場合に比して一次抽選に当選する確率が高くなるように設定されている。
【０１４３】
また、昇格用の非変短時移行テーブル（図１７）では、第１の高確示唆モード又は第２の高確示唆モード滞在中は、当該演出モードが開始してから２１回目以降の図柄変動ゲームにおいても一次抽選が実行されるようになっている。
【０１４４】
そして、第１の高確示唆モード滞在中の抽選確率状態が低確率抽選状態であって、当該演出モードが開始してから１〜２０回目の図柄変動ゲームでは、一次抽選に当選する確率が低くなるように設定されている。その一方で、２１回目以降の図柄変動ゲームでは、１〜２０回目の図柄変動ゲーム中に実行される一次抽選に当選する確率よりも当選確率が高くなるように設定されている。また、第１の高確示唆モード滞在中の抽選確率状態が高確率抽選状態であって、当該演出モードが開始してから１１回目以降の図柄変動ゲームでは、１〜１０回目の図柄変動ゲーム中に実行される一次抽選に当選する確率よりも当選確率が高くなるように設定されている。
【０１４５】
また、昇格用の非変短時移行テーブル（図１７）では、第２の高確示唆モード滞在中の抽選確率状態が低確率抽選状態である場合、一次抽選にほとんど当選し得ないように設定されている。また、第２の高確示唆モード滞在中の抽選確率状態が高確率抽選状態であって、当該演出モードが開始してから１１回目以降の図柄変動ゲームでは、１〜１０回目の図柄変動ゲーム中に実行される一次抽選に当選する確率よりも当選確率が高くなるように設定されている。
【０１４６】
例えば、第１の高確示唆モード滞在中の抽選確率状態が高確率抽選状態であり、さらにモード回転数フラグの値が「２１」であるとする。この場合、統括ＣＰＵ３１ａは、３５／２１１の確率で「当選」を決定することとなり、１７６／２１１の確率で「非当選」を決定することとなる。
【０１４７】
そして、統括ＣＰＵ３１ａは、演出モードの移行を決定したか否か、すなわち、ステップＳ２０６において当選パターンを決定したか否かを判定する（ステップＳ２０７）。そして、この判定結果が否定（非当選パターンを決定した）の場合、統括ＣＰＵ３１ａは、そのまま非変短時モード移行処理を終了する。
【０１４８】
一方、ステップＳ２０７の判定結果が肯定（当選パターンを決定した）の場合、統括ＣＰＵ３１ａは、ステップＳ２０２で読み出した現在の回転数と、ステップＳ２０３で読み出した抽選確率状態に従って、昇格用の非変短時移行テーブル（図１７）に基づき、移行先の演出モードを決定する二次抽選（移行抽選）を実行する（ステップＳ２０８）。このとき、統括ＣＰＵ３１ａは、ＲＡＭ３１ｃから、第２モード移行用乱数を取得する。
【０１４９】
そして、統括ＣＰＵ３１ａは、昇格用の非変短時移行テーブル（図１７）を用いて、現在の抽選確率状態、モード回転数フラグの値、及び第２モード移行用乱数に基づき、移行先の演出モードを決定する。
【０１５０】
昇格用の非変短時移行テーブル（図１７）では、第１モード移行用乱数と同じく、現在のモードの種類を示す演出モードフラグの値、現在の抽選確率状態、及びモード回転数フラグの値に応じて移行先の演出モードが対応付けられている。昇格用の非変短時移行テーブル（図１７）では、「第１の高確示唆モード」を特定する第１の高確示唆パターン、第２の高確示唆パターン、第３の高確示唆パターン、及び非当選パターンが対応付けられている。そして、各パターンには、第２モード移行用乱数がそれぞれ振り分けられている。
【０１５１】
そして、昇格用の非変短時移行テーブル（図１７）では、通常モード滞在中の抽選確率状態が低確率抽選状態であって、且つ一次抽選に当選した場合、当該演出モード開始後１１回目〜２０回目の図柄変動ゲームでは、１〜１０回目の図柄変動ゲームに比して、第１の高確示唆パターンの選択率が高くなるように設定されている。一方、通常モード滞在中の抽選確率状態が高確率抽選状態であって、且つ一次抽選に当選した場合、当該演出モードが開始してからの回転数に拘らず、同一の抽選確率で二次抽選が実行されるようになっている。具体的には、第２の高確示唆パターン＝第３の高確示唆パターン＜第１の高確示唆パターンの順に選択確率が高くなるように設定されているとともに、非当選パターンには第２モード移行用乱数の値が振分けられていない。
【０１５２】
また、昇格用の非変短時移行テーブル（図１７）では、第１の高確示唆モード滞在中の抽選確率状態が低確率抽選状態であって、且つ一次抽選に当選した場合、当該演出モードが開始してからの回転数に拘らず、同一の抽選確率で二次抽選を実行するようになっている。具体的には、第３の高確示唆パターン＜第２の高確示唆パターン＜非当選パターンの順に選択確率が高くなるように設定されている。また、昇格用の非変短時移行テーブル（図１７）では、第１の高確示唆モード滞在中の抽選確率状態が高確率抽選状態であって、且つ一次抽選に当選した場合、当該演出モードが開始してからの回転数に拘らず、同一の抽選確率で二次抽選が実行されるようになっている。具体的には、第３の高確示唆パターン＜第２の高確示唆パターン＜非当選パターンの順に選択確率が高くなるように設定されているとともに、抽選確率状態が低確率抽選状態となっている場合に比して、第２の高確示唆パターン及び第３の高確示唆パターンが選択される確率が高くなるように設定されている。すなわち、変短状態が付与されていない場合、現在滞在中の演出モードよりも確変状態である期待度が高く設定された演出モードに移行させるか否かが決定されるが、第４の高確示唆モードは選択されないようになっている。
【０１５３】
また、非変短時移行テーブル（図１７）では、第２の高確示唆モード滞在中における抽選確率状態の種類を問わず、一次抽選に当選した際には、当該演出モードが開始してからの回転数に拘らず、同一の抽選確率で二次抽選が実行されるようになっている。具体的には、第３の高確示唆パターン＜非当選パターンの順に選択確率が高くなるように設定されている。
【０１５４】
例えば、第１の高確示唆モード滞在中の抽選確率状態が高確率抽選状態であり、且つモード回転数フラグの値が「２１」であって、さらに一次抽選に当選したとする。この場合、統括ＣＰＵ３１ａは、３３／９７の確率で「第２の高確示唆モード」を、６／９７の確率で「第３の高確示唆モード」を、５８／９７の確率で「第１の高確示唆モード（非当選）」を決定することとなる。
【０１５５】
このような非変短時移行テーブルを設定することにより、変短状態が付与されていない場合には、昇格抽選によって現在の演出モードよりも確変状態である期待度が高く設定された高確示唆モードに移行させるか否かが決定されるが、移行先として第４の高確示唆モードは選択されないようになっている。そして、当該昇格抽選に当選しなかった場合であっても、現在の演出モードが継続されるので、現在の演出モードよりも確変状態である期待度が低く設定された演出モードに移行することはない。また、現在滞在中の演出モードが確変状態である期待度が高く設定された演出モードであるほど、移行先として第３の高確示唆モードが選択される確率が高くなっている。
【０１５６】
そして、統括ＣＰＵ３１ａは、二次抽選の抽選結果に基づいて移行先（昇格先）の演出モードを決定し（ステップＳ２０９）、決定した演出モードを特定する値を、モードストック放出フラグに設定（ストック）した後（ステップＳ２１０）、そのまま変短時モード移行処理を終了する。
【０１５７】
一方、ステップＳ２０５の判定結果が肯定（昇格内容がストックされている）の場合、統括ＣＰＵ３１ａは、現在の演出モードが通常モードであるか否かを判定する（ステップＳ２１１）。ステップＳ２１１の判定結果が肯定（現在の演出モードが通常モードである）の場合、統括ＣＰＵ３１ａは、通常モード滞在中に転落抽選を実行する必要がないので、非変短時モード移行処理を終了する。一方、ステップＳ２１１の判定結果が否定（現在の演出モードが通常モードではない）の場合、統括ＣＰＵ３１ａは、ステップＳ２０２で読み出した現在の回転数と、ステップＳ２０３で読み出した抽選確率状態の種類に従って、図１８に示す非変短時移行テーブルに基づいて演出モードを移行させるか否かを決定する一次抽選（転落抽選）を実行する（ステップＳ２１２）。このとき、統括ＣＰＵ３１ａは、ＲＡＭ３１ｃから、第１モード移行用乱数を取得する。
【０１５８】
そして、統括ＣＰＵ３１ａは、非変短時移行テーブル（図１８）を用いて、モード回転数フラグの値及び第１モード移行用乱数に基づき、演出モードを移行させるか否かを決定する。なお、以下の説明では、図１８に示すテーブルを転落用の非変短時移行テーブルと示す。
【０１５９】
転落用の非変短時移行テーブル（図１８）は、滞在中の演出モードの種類及び抽選確率状態の種類にかかわらず、モード回転数フラグの値に応じて当選とするか又は非当選とするかが対応付けられているとともに「当選」及び「非当選」には、第１モード移行用乱数が振り分けられている。なお、「当選」は、通常モードへの移行を示す。例えば、第１の高確示唆モード滞在中の抽選確率状態が高確率抽選状態であり、さらにモード回転数フラグの値が「２１」であるとする。この場合、統括ＣＰＵ３１ａは、１８／２１１の確率で「当選」を決定することとなり、１８１／２１１の確率で「非当選」を決定することとなる。
【０１６０】
また、転落用の非変短時移行テーブル（図１８）では、当該演出モード開始後における図柄変動ゲームの回数が多くなるほど当選する確率が高くなるように設定されている。
そして、統括ＣＰＵ３１ａは、演出モードの移行を決定したか否か、すなわち、ステップＳ２１２において当選パターンを決定したか否かを判定する（ステップＳ２１３）。そして、この判定結果が否定（非当選パターンを決定した）の場合、統括ＣＰＵ３１ａは、そのまま非変短時モード移行処理を終了する。一方、ステップＳ２１２の判定結果が肯定（当選パターンを決定した）の場合、統括ＣＰＵ３１ａは、通常モードを特定する値を、モードストック放出フラグに設定（ストック）した後（ステップＳ２１４）、そのまま非変短時モード移行処理を終了する。つまり、統括ＣＰＵ３１ａは、モードストック放出フラグに昇格先の演出モードを特定する値が設定されていたとしても、モードストック放出フラグの値を通常モードを特定する値に書き換えることになる。
【０１６１】
そして、統括ＣＰＵ３１ａは、演出モードを移行させた場合、当該演出モードに移行してから図柄変動ゲームが実行される度にその実行回数をカウントするとともに、前記変短時モード移行処理を実行する。なお、統括ＣＰＵ３１ａは、当り遊技に当選した場合や、演出モードを移行させた場合は、モード回転数フラグの値をクリアする。さらに、統括ＣＰＵ３１ａは、図柄変動ゲームの開始時に、モードストック放出フラグに移行先の演出モードを特定する値が設定されているか否かを判定する。そして、当該モードストック放出フラグに昇格先の演出モードを特定する値が設定されている場合には、転落抽選を実行する。そして、モードストック放出フラグに昇格先の演出モードを特定する値が設定されている状態で特定の変動パターン（本実施形態では変動パターンＰ１）が選択されないと、転落抽選に当選した場合には、モードストック放出フラグの内容が昇格先から転落先を特定する演出モードフラグを特定する値に書き換えられる。そして、入力した変動パターン指定コマンドが、変動パターンＰ１を指定するコマンドであった場合、統括ＣＰＵ３１ａは、モードストック放出フラグに設定された値で特定される演出モードに移行させるように、モード指定コマンドを各制御基板３２〜３４に夫々出力する。
【０１６２】
このような制御を実行することにより、転落抽選への当選に基づいて通常モードに移行してしまったとしても、モードストック放出フラグには、移行先の演出モードを特定する値が設定されていないので、再度、昇格抽選が実行されることになり、昇格抽選に当選した場合には、高確示唆モードに移行可能となる。また、変短状態が付与されていないときのモード移行演出は、確変状態が付与されていることに対して期待を持たせるというよりは、どの演出モードに移行するかということに対して期待を持たせるようになっている。
【０１６３】
本実施形態では、統括ＣＰＵ３１ａが、演出モード決定手段、記憶設定手段、及び変動内容決定手段として機能する。また、ＲＯＭ３１ｂが、変動内容記憶手段として機能する。また、ＲＡＭ３１ｃが、記憶手段として機能する。
【０１６４】
次に、サブＣＰＵ３２ａが実行する演出モードに係る制御内容を説明する。
サブＣＰＵ３２ａは、統括ＣＰＵ３１ａからモード指定コマンドを入力すると、当該コマンドで特定される演出モードに移行させるように、図６に示すような態様でモード移行演出を実行させるように演出表示器２２の表示内容を制御する。なお、変動パターンＰ７が選択されるとともに演出モードの移行が決定された場合、統括ＣＰＵ３１ａから特殊パターンが指定されるため、サブＣＰＵ３２ａは、特殊パターン指定コマンドで指定される内容に従って、リーチを形成しないはずれの図柄組み合わせを停止表示させるように演出表示器２２の表示内容を制御する。本実施形態では、サブＣＰＵ３２ａが、演出モード制御手段として機能する。
【０１６５】
次に、昇格抽選及び転落抽選の実行契機について図１９（ａ），（ｂ）に基づき説明する。
図１９（ａ）では、非確変１５ラウンド大当りに当選したことを契機に高確示唆モードに移行し、大当り遊技終了後１０１回目の図柄変動ゲームから通常モードに移行したことを前提とする。
【０１６６】
図１９（ａ）に示すように、通常モード滞在中において昇格抽選に当選すると、当該昇格抽選で決定された移行先の演出モードを特定する値が、モードストック放出フラグに設定されることになる。このとき、昇格抽選において第１の高確示唆モードへ移行させることが決定されたとすると、モードストック放出フラグには「２」が設定されることとなる。そして、モードストック放出フラグに移行先の演出モードを特定する値が設定されている状態で変動パターンＰ１又は変動パターンＰ７が選択されたとすると、当該変動パターンが選択された図柄変動ゲーム中にモード移行演出が実行され、演出モードが通常モードから第１の高確示唆モードに移行することになる（時点ａ１）。このとき、モードストック放出フラグの値はクリアされる。そして、第１の高確示唆モード中は、モードストック放出フラグの値がクリアされている状態であるため、昇格抽選は実行可となっている。そして、第１の高確示唆モードが開始されてから毎回昇格抽選が実行され、第１の高確示唆モードが開始されてから１０回目の図柄変動ゲームで実行される昇格抽選において、第２の高確示唆モードへ移行させることに当選したとすると、モードストック放出フラグに、第２の高確示唆モードを特定する「３」が設定されることになる（時点ａ２）。この時点では、モードストック放出フラグに移行先の演出モードを特定する値「３」が設定されている状態であるため、その後は転落抽選が実行されることになる。
【０１６７】
そして、転落抽選の実行中に変動パターンＰ１又は変動パターンＰ７が選択されず、第１の高確示唆モードが開始されてから３０回目の図柄変動ゲームで実行される転落抽選において「転落」に当選したとする（時点ａ３）。このとき、統括ＣＰＵ３１ａは、モードストック放出フラグに設定した値「３」を消去し、代わりに通常モードを特定する「１」を設定することになる。このとき、モードストック放出フラグには「１」が設定されているため、その後の図柄変動ゲームでは転落抽選が実行されない。そして、第１の高確示唆モードが開始されてから３３回目の図柄変動ゲームで変動パターンＰ１が選択されたとすると、当該図柄変動ゲーム中にモード移行演出が実行され、移行先の演出モードが通常モードであることが報知されることになる（時点ａ４）。
【０１６８】
一方、図１９（ｂ）では、第２の確変１５ラウンド大当りに当選したことを前提とするとともに、大当り遊技終了後に移行する高確示唆モードが、第１の高確示唆モードであることを前提とする。
【０１６９】
図１９（ｂ）に示すように、第２の確変１５ラウンド大当りに当選すると、大当り遊技終了後、第１の高確示唆モードに移行する（時点ｂ１）。そして、第１の高確示唆モードが開始されてから毎回昇格抽選が実行され、大当り遊技終了後、１０回目の図柄変動ゲームで実行される昇格抽選において、第２の高確示唆モードへ移行させることに当選したとすると、モードストック放出フラグに、第２の高確示唆モードを特定する値「３」が設定されることになる（時点ｂ２）。なお、大当り遊技終了後、１０回目の図柄変動ゲームで変動パターンＰ１が選択されたとすると、当該図柄変動ゲーム中にモード移行演出が実行され、第１の高確示唆モードから第２の高確示唆モードに移行することが報知されることになる。このとき、モードストック放出フラグに設定された値はクリアされる。そして、この時点ではモードストック放出フラグの値がクリアされた状態であるため、昇格抽選が実行可となっている。
【０１７０】
そして、大当り遊技終了後、３０回目の図柄変動ゲームで実行される昇格抽選において、第３の高確示唆モードへ移行させることに当選したとする（時点ｂ３）。なお、大当り遊技終了後、３０回目の図柄変動ゲームで変動パターンＰ１が選択されたとすると、当該図柄変動ゲーム中にモード移行演出が実行され、第２の高確示唆モードから第３の高確示唆モードに移行することが報知されることになる。このとき、統括ＣＰＵ３１ａは、モードストック放出フラグに設定された値をクリアし、第３の高確示唆モードを特定する値「４」を設定する。
【０１７１】
そして、大当り遊技終了後９１回目の図柄変動ゲームでは、演出モードフラグに「４」が設定されているため、統括ＣＰＵ３１ａは、当該図柄変動ゲームの開始時にモードストック放出フラグをクリアする（時点ｂ４）。これにより、大当り遊技終了後９１回目以降の図柄変動ゲームでは、昇格抽選は実行されないとともに、演出モードの移行も実行されないことになる。そして、統括ＣＰＵ３１ａは、大当り遊技終了後１００回目の図柄変動ゲームの開始時に、モードストック放出フラグに、第４の高確示唆モードを特定する値「５」を設定する（時点ｂ５）。そして、大当り遊技終了後１０３回目の図柄変動ゲームにおいて変動パターンＰ７が設定されたとすると、当該図柄変動ゲーム中にモード移行演出が実行され、第３の高確示唆モードから第４の高確示唆モードに移行することが報知されることになる（時点ｂ６）。これにより、遊技者は、第４の高確示唆モードへ移行したことにより、現在の抽選確率状態が高確率抽選状態となっていることを認識することになる。
【０１７２】
したがって、本実施形態では、以下に示す効果を得ることができる。
（１）大当りの種類として、第１当り（本実施形態では非確変１５ラウンド大当り）と第２当り（本実施形態では第２の確変１５ラウンド大当り）を設定し、変短状態中、内部抽選状態が高確率抽選状態となっていることが報知される迄の間はどの大当りに当選したのかが分からないように高確示唆モードを設定した。そして、第２の確変１５ラウンド大当りでは、大当り遊技終了後、１０１回目の図柄変動ゲームでも変短状態が付与されており、開閉羽根２７の開放態様からも高確率抽選状態となっていることが視認可能となっているため、高確示唆モードを継続していても何の意味もなさないので、いち早く高確率抽選状態となっていることを報知するようにする。ところが、変短状態が付与されている高確示唆モード中は、変動時間の短い図柄変動ゲームが実行される確率が高いので、統括ＣＰＵ３１ａは、第２の確変１５ラウンド大当りに当選している場合、１００回目以降に実行される図柄変動ゲームの中で高確確定モードへ移行することを強制的に設定する。それとともに、統括ＣＰＵ３１ａは、移行させることができる変動内容（ノーマルリーチはずれ又は通常変動）で図柄変動ゲームが実行される場合に、高確確定モードに移行させることで、遊技者に第２の確変１５ラウンド大当りに当選していることを分かり易く報知させることができる。
【０１７３】
（２）統括ＣＰＵ３１ａは、モードストック放出フラグに高確示唆モードが設定されている場合であっても、移行先の演出モードとして第４の高確示唆モードを決定したのであれば、モードストック放出フラグの記憶内容をクリアした後、必ず第４の高確示唆モードを特定する値を設定させるようにした。これにより、第４の高確示唆モードを必ず実行させることが可能となり、第４の高確示唆モードの実行により遊技者の興趣を向上させることができる。
【０１７４】
（３）第４の高確示唆モードは、当該モードの期待度を高く保つために出現率が低くなっている。したがって、出現率の低い第４の高確示唆モードへの移行が決定されたにも拘らず、第４の高確示唆モードよりも確変状態である期待度が低く設定された演出モードへの移行が決定された場合には、せっかく決定された第４の高確示唆モードに移行することができないことにもなり兼ねないので、そのような状態が起こることを抑制し、第４の高確示唆モードに移行させることができる。
【０１７５】
（４）モードストック放出フラグに第１の高確示唆モード〜第３の高確示唆モードのうちいずれかが設定されている場合であっても、大当り遊技終了後、９１回目以降の図柄変動ゲームでは演出モードを移行させないようにした。これにより、例えば、変短状態の終わりかけに第３の高確示唆モードに移行したにも拘らず、変短状態の終了とともにすぐさま通常モードに移行すると、遊技者が落胆してしまうので、そのような事態が生じることを抑制することができる。
【０１７６】
（５）変短状態が付与された高確示唆モード中は、移行抽選によって現在の演出モードよりも確変状態である期待度が高く設定された演出モードに移行させるか否かが決定されるようにした。なお、変短状態が付与された高確示唆モード中は、変動時間の短い図柄変動ゲームが実行される確率が高くなっており、演出モードをなかなか移行させられない。したがって、統括ＣＰＵ３１ａは、移行抽選に当選した際には演出モードが昇格する旨をストックし、移行させることができる変動内容（ノーマルリーチはずれ又は通常変動）で図柄変動ゲームが実行される場合に、ストックしている内容のモードに移行させる。一方、非変短状態であるときの高確示唆モード中は、変動時間の長い図柄変動ゲームが実行される確率が高くなっているので、演出モードが昇格したり転落したりすることで、演出モードの変化によって遊技者の期待感を変化させるようにした。これにより、変短状態が付与されているか否かで異なる演出モード移行態様を設定するとともに、現在の演出モードに見合ったモード移行を実行することが可能となり、演出を多様化することができる。
【０１７７】
（６）昇格抽選の実行後に転落抽選を実行するようにした。これにより、例えば、モードストック放出フラグに、第３の高確示唆モードに移行させることが設定されているが、長い間、演出モードの移行契機となる図柄変動ゲームが実行されなかった場合には、ようやく第３の高確示唆モードに移行したにも拘らず、すぐさま転落抽選への当選に基づいて通常モードに移行することもあり得る。このような場合、演出モードの昇格が意味をなさないものとなって遊技者の興趣が低下してしまうので、そのような状況に陥ることを抑制し、確変状態である期待度の高い演出モードと確変状態である期待度の低い演出モードへの切り換えを、遊技者の興趣を低下させないようなバランスで実行することができる。
【０１７８】
（７）統括ＣＰＵ３１ａは、モードストック放出フラグに移行先の演出モードを特定する値が設定されている状態で当り抽選（大当り抽選又は小当り抽選）に当選した場合には、記憶内容をクリアする。これにより、当り抽選に当選したことによって決定された当り遊技の種類に基づく演出モードが優先的に実行されるので、モードストック放出フラグに転落先の演出モードを特定する値が設定されていたとしても、転落する内容の演出モードが実行されない。したがって、遊技者に、再度、演出モードの種類によって抽選確率状態が高確率抽選状態となっていることに対して期待を持たせることができる。
【０１７９】
（８）演出モードが切り換わってから何回目の図柄変動ゲームであるかに基づいて演出モードが決定されるので、その時々の遊技状況に応じた演出モードを設定することができる。
【０１８０】
（９）第２の確変１５ラウンド大当りに当選しており、且つ大当り遊技終了後、１００回目以降の図柄変動ゲームで変動パターンＰ７が決定された際には、リーチを形成しないはずれの図柄組み合わせが確定停止表示されるようにすることで、遊技者に違和感を与えることのないモード移行演出を実現するとともに、高確示唆モードへの移行契機を増やすことができる。
【０１８１】
（１０）モードストック放出フラグにおいて既に第４の高確示唆モードを特定する値が設定されている場合には移行抽選が行われないので、余分な制御を実行する手間を省くことができる。
【０１８２】
（１１）変短状態時におけるモード移行演出の実行契機となる変動パターンとして、変動パターンＰ１及び変動パターンＰ７を設定した。これにより、変短状態中に、モードが頻繁に移行しすぎたり、逆に、モードが全く移行しないという事態が生じることを抑制することができる。
【０１８３】
（１２）回転数フラグ又はモード回転数フラグの値によって第１モード移行用乱数の振り分け数を変更している。このため、回転数に応じて、モード移行が内部的に決定される確率を変更することができる。すなわち、所定の回転数以上のときには、演出モードが移行しやすい、また、所定の回転数以下のときには、演出モードが移行しにくいなど、意図的に演出モードが移行する確率を変更することができる。
【０１８４】
（１３）一部の変短時移行テーブル及び非変短時移行テーブルにおいて、回転数フラグ又はモード回転数フラグの値が大きいほど、当選パターンに振り分けられる第１モード移行用乱数の数を多くした。このため、同一の演出モードがいつまでも続くことなく、遊技者は、変化に富んだ遊技を楽しむことができる。
【０１８５】
（１４）図１８に示す転落用の非変短時移行テーブルでは、モード回転数フラグの値が１〜１０である場合に、当選パターンには第１モード移行用乱数が振り分けられていない。このため、高確示唆モードが実行されてからの図柄変動ゲームの実行回数が１〜１０である場合には、昇格抽選しか行われないので、図柄変動ゲームの実行回数が１〜１０であるときに演出モードが昇格した場合、遊技者の興趣を向上させることができる。また、図柄変動ゲームの実行回数が１〜１０であるときには、通常パターンが実行されることがないので、遊技者は、最低でも１０回の図柄変動ゲームの間、確変状態が付与されているのではないかという期待感を持って、高確示唆モードを楽しむことができる。
【０１８６】
なお、上記実施形態は以下のように変更してもよい。
・実施形態において、変動パターンＰ７が選択された際にモード移行演出を実行する場合であっても、リーチを形成するはずれの図柄組み合わせを停止表示させても良い。
【０１８７】
・実施形態において、大当り抽選への当選を除くモード移行契機を、変動パターンＰ１又は変動パターンＰ７が選択されたときとしたが、変動パターンＰ２及び変動パターンＰ３に設定された変動時間よりも長い変動時間が設定された変動パターンであれば、モード移行演出が実行されるようにしても良い。例えば、変動パターンＰ８，Ｐ９（はずれリーチ（ＳＲ））が選択された際にモード移行演出を実行しても良い。
【０１８８】
・実施形態では、変動パターンＰ７が選択された場合、特殊パターンに基づいてリーチを形成しないはずれの図柄組み合わせが確定停止表示されるようにしたが、変動内容自体が変更されるようにしても良い。例えば、通常は、背景画像が「朝」背景となっているが、モード移行演出を実行させる際は、「夜」背景となるようにしても良い。
【０１８９】
・実施形態において、変動パターンＰ７が選択されるとともに、演出モードの移行が決定された場合、サブＣＰＵ３２ａが、リーチを形成しないように独立してはずれの図柄組み合わせを決定するようにしても良い。
【０１９０】
・実施形態において、図柄変動ゲームの回数に拘らず一定の当選確率で一次抽選を実行するようにしても良い。
・実施形態では、昇格抽選の実行後に転落抽選を実行するようにしたが、転落抽選の実行後に昇格抽選を実行するようにしても良い。このようにすることで、転落抽選への当選によって通常モードへ転落することが決定されていたとしても、昇格抽選で確変状態である期待度の高い演出モードへ移行させることが決定されたのであれば、演出モードを昇格させる内容でモード移行演出が実行されるので、遊技者の興趣を向上させることができる。
【０１９１】
・実施形態において、昇格抽選及び転落抽選では、一段階ずつ演出モードが昇格又は転落するようにしても良い。
・実施形態では、昇格抽選及び転落抽選を、図柄変動ゲームが実行される度に実行するようにしたが、所定回数（例えば、１０回毎）毎に実行するようにしても良い。
【０１９２】
・実施形態において、変短状態が付与されている高確示唆モード滞在中においても転落抽選を実行するようにしても良い。この場合、図１３に示す非変短時モード移行処理と同一の手順にて実行転落抽選が実行されることになる。なお、変短状態が付与されている高確示唆モード滞在中に転落抽選を実行する場合は、変短状態が付与されていない高確示唆モード滞在中よりも、「転落」に当選する確率が低くなるように設定することが望ましい。
【０１９３】
・実施形態において、転落抽選に当選した場合、変動パターンＰ１又は変動パターンＰ７が選択された際に転落先の演出モードに移行させるようにしても良い。
・実施形態において、第２の確変１５ラウンド大当りに当選している場合には、どのような演出モードに滞在していたとしても、必ず第４の高確示唆モードが選ばれるような移行抽選を実行しても良い。また、第１の高確示唆モード〜第３の高確示唆モードのうちいずれかに当選したとしても、当選内容をリセットしなくても良く、当選内容をモード移行演出に反映させないようにしなければ良い。
【０１９４】
・実施形態において、第２の確変１５ラウンド大当りに当選している場合、大当り遊技終了後、９０回目〜９９回目の図柄変動ゲームの間においてモードストック放出フラグに第４の高確示唆モードを特定する値を設定するようにしても良い。
【０１９５】
・実施形態では、大当り遊技終了後、１００回目の図柄変動ゲームにおいて強制的にモードストック放出フラグに第４の高確示唆モードを設定するようにしたが、１０１回目以降の図柄変動ゲームにおいて設定するようにしても良い。
【０１９６】
・実施形態では、ステップＳ１０４における判定回数を９１回としたが、その値に限られない。
・実施形態では、第２の確変１５ラウンド大当りに当選している場合、大当り遊技終了後、１００回目以降の図柄変動ゲームにおいて第４の高確示唆モードに移行可能となるようにしたが、１００回目以降の図柄変動ゲームにおいて高確確定モードに移行させるようにしても良い。
【０１９７】
・実施形態において、大当り遊技の種類を増減させても良い。具体的には、ラウンド遊技数を変更したり、確変状態及び変短状態の有無、付与回数を変更したりしてもよい。また、大入賞口装置２９の開閉動作回数を変更しても良い。例えば、１回のラウンド遊技中に大入賞口装置２９を４回、開閉動作させるようにしても良い。
【０１９８】
・実施形態において、１００回変短付き確変１５ラウンド大当りを省略しても良い。
・上記実施形態において、ラウンド遊技の規定ラウンド数、大入賞口装置２９の１回の開閉動作に係る時間、ラウンド遊技時間を変更しても良い。
【０１９９】
・上記実施形態では、演出表示器２２を液晶式としたが、ドットマトリクス式や７セグメントＬＥＤ式の演出表示器としても良いし、ドラム式などの機械式の演出表示器としても良い。
【０２００】
・上記実施形態は、特図と飾図を用いるパチンコ遊技機１０に具体化したが、特図のみを用いるパチンコ遊技機に具体化しても良い。
・実施形態において、２つの特別図柄を用いるパチンコ遊技機に具体化しても良い。
【０２０１】
次に、上記実施形態及び別例から把握できる技術的思想を以下に追記する。
（イ）複数種類の図柄を変動させて行う図柄変動ゲームを表示する表示手段と、遊技球の入球を契機に前記図柄変動ゲームの始動条件を付与するとともに、遊技球の入球口を遊技球が入球し難い閉鎖状態から遊技球が入球し易い開放状態に可変させる開閉手段を有する始動手段と、前記始動条件の成立を契機に、当りか否かの当り抽選を行う当り抽選手段と、を備え、前記図柄変動ゲームが、リーチ状態が形成されるリーチありの変動内容、及び第１の変動内容と該第１の変動内容よりも変動時間が短い第２の変動内容とを含むとともに前記リーチ状態が形成されないリーチなしの変動内容のいずれかで実行され、当り遊技終了後における前記開閉手段の開放時間が増加する開放時間増加状態が付与されている場合は、前記第２の変動内容で前記図柄変動ゲームが実行されやすくなっているとともに、前記当り抽選の抽選確率状態が高確率抽選状態となっていることへの期待度が異なる複数の高確潜伏モード及び前記抽選確率状態が高確率抽選状態の場合のみ設定される高確確定モードを含む複数の演出モードの中から移行先の演出モードを決定する移行抽選において演出モードの移行先が決定され、且つ前記第１の変動内容で前記図柄変動ゲームが実行される場合には、前記移行抽選で決定された演出モードに移行する遊技機において、前記当り抽選に当選した場合に当りの種類を決定する当り種決定手段と、所定の契機で前記移行抽選を実行して前記当り遊技終了後に移行した演出モード後のモード移行態様を決定する演出モード決定手段と、前記演出モード決定手段が決定した演出モードを記憶手段に記憶させる記憶設定手段と、前記演出モード決定手段が決定した演出モードに移行させる演出モード制御手段と、を備え、前記当りには、当り遊技終了後、予め設定した所定回数だけ前記開放時間増加状態を付与する第１当りと、前記所定回数を超えて前記開放時間増加状態を付与する第２当りとが設定されており、前記第１当りが決定された場合には、前記抽選確率状態が低確率抽選状態となっている可能性がある一方で、前記第２当りが決定された場合には、前記抽選確率状態が高確率抽選状態となっており、前記第１当り及び前記第２当りの当り遊技終了後には、当り遊技終了後最初の演出モードとして前記高確潜伏モードが実行されるようになっており、前記記憶設定手段は、前記移行抽選に当選した場合、該移行抽選の抽選結果を記憶させる一方で、前記第２当りに当選している場合、前記所定回数よりも後に実行される図柄変動ゲームから前記高確確定モードに移行可能となるように、前記図柄変動ゲームの実行回数が予め設定した回数を越えた段階で前記高確確定モードを強制的に記憶させ、前記演出モード制御手段は、前記第２当りに当選しており、且つ前記所定回数よりも後に実行される図柄変動ゲームの変動内容として前記リーチありの変動内容のうち特定の変動内容又は前記第１の変動内容が決定された際には、前記高確確定モードに移行させることを特徴とする遊技機。
【符号の説明】
【０２０２】
１０…パチンコ遊技機、２２…演出表示器、２３…特図表示器、２４…普図表示器、２５…上始動入賞口、２６…下始動入賞口、２７…開閉羽根、２８…大入賞口扉、２９…大入賞口装置、３０…主制御基板、３０ａ…メインＣＰＵ、３０ｃ…ＲＡＭ、３１…統括制御基板、３１ａ…統括ＣＰＵ、３１ｂ…ＲＯＭ、３１ｃ…ＲＡＭ、３２…表示制御基板、３２ａ…サブＣＰＵ、ＹＢ…遊技盤。
【図１】
0005508781.tif 000002
【図２】
0005508781.tif 000003
【図３】
0005508781.tif 000004
【図４】
0005508781.tif 000005
【図５】
0005508781.tif 000006
【図６】
0005508781.tif 000007
【図７】
0005508781.tif 000008
【図８】
0005508781.tif 000009
【図９】
0005508781.tif 000010
【図１０】
0005508781.tif 000011
【図１１】
0005508781.tif 000012
【図１２】
0005508781.tif 000013
【図１３】
0005508781.tif 000014
【図１４】
0005508781.tif 000015
【図１５】
0005508781.tif 000016
【図１６】
0005508781.tif 000017
【図１７】
0005508781.tif 000018
【図１８】
0005508781.tif 000019
【図１９】
0005508781.tif 000020